(57)【要約】【課題】金属材料などの導電性材料のタッチ検出電極を用いつつ、モアレが視認される可能性を低減できるタッチ検出機能付き表示装置を提供することにある。【解決手段】タッチ検出機能付き表示装置は、複数の色領域で構成される画素が行列状に配置される表示領域と、複数の細線片を含む導電性細線が複数配置されるタッチ検出電極とを含む。隣り合う細線片は、屈曲部で折り返すように配置される。複数の導電性細線は、隣り合う細線片のなす角度が他の屈曲部と異なる屈曲部を含む。【選択図】図１４
2014191657.tif 000002
【特許請求の範囲】
【請求項１】
基板と、
前記基板の表面と平行な面に、複数の色領域で構成される画素が行列状に配置される表示領域と、
第１端部と第２端部とを直線で結んだ細線片を複数含み、隣り合う細線片は一方の細線片の第２端部と他方の細線片の第１端部とが接続された、前記基板の表面と平行な面に延在する導電性細線が複数配置されるタッチ検出電極と、
前記タッチ検出電極に対して静電容量を有する駆動電極と、
前記表示領域に画像を表示する機能を有する表示機能層と、を含み、
前記隣り合う細線片は、一方の細線片の第２端部と他方の細線片の第１端部とが接続される部分である屈曲部で折り返すように配置され、
前記複数の導電性細線は、前記隣り合う細線片のなす角度が他の屈曲部と異なる屈曲部を含む、タッチ検出機能付き表示装置。
【請求項２】
隣り合う前記導電性細線は、互いに異なる形状である、請求項１に記載のタッチ検出機能付き表示装置。
【請求項３】
前記導電性細線は、前記屈曲部で隣り合う細線片のなす角度と、当該屈曲部の次の屈曲部で隣り合う細線片のなす角度とが異なる、請求項１または請求項２に記載のタッチ検出機能付き表示装置。
【請求項４】
前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、
前記細線片は、前記画素配列方向に対して角度を有する方向に延び、当該角度の正接値は、前記第１単位長さの値を前記第２単位長さの２倍の値で除した値より大きく、前記第１単位長さの２倍の値を前記第２単位長さの値で除した値より小さい範囲にあり、かつ前記第１単位長さの値を前記第２単位長さの値で除した値とは異なる、請求項１から３のいずれか１項に記載のタッチ検出機能付き表示装置。
【請求項５】
前記細線片は、複数の前記色領域のうち、人間の視感度が最も高い色領域が並ぶ方向である画素配列方向に対して、２７度より大きくかつ４５度未満にある角度または４５度より大きくかつ６３度未満にある角度を有する方向に延びる、請求項１から３のいずれか１項に記載のタッチ検出機能付き表示装置。
【請求項６】
隣り合う前記導電性細線は、互いに交差する部分を有さないように配置される、請求項１から５のいずれか１項に記載のタッチ検出機能付き表示装置。
【請求項７】
隣り合う前記導電性細線は、前記屈曲部同士が接する部分を有するように配置され、一方の前記導電性細線が前記接する部分で他方の前記細線片と接続される、請求項１から５のいずれか１項に記載のタッチ検出機能付き表示装置。
【請求項８】
タッチ検出機能付き表示装置を備え、
前記タッチ検出機能付き表示装置は、
基板と、
前記基板の表面と平行な面に、複数の色領域で構成される画素が行列状に配置される表示領域と、
第１端部と第２端部とを直線で結んだ細線片を複数含み、隣り合う細線片は一方の細線片の第２端部と他方の細線片の第１端部とが接続された、前記基板の表面と平行な面に延在する導電性細線が複数配置されるタッチ検出電極と、
前記タッチ検出電極に対して静電容量を有する駆動電極と、
前記表示領域に画像を表示する機能を有する表示機能層と、を含み、
前記隣り合う細線片は、一方の細線片の第２端部と他方の細線片の第１端部とが接続される部分である屈曲部で折り返すように配置され、
前記複数の導電性細線は、前記隣り合う細線片のなす角度が他の屈曲部と異なる屈曲部を含む、電子機器。
【発明の詳細な説明】
【技術分野】
【０００１】
本発明は、外部近接物体を検出可能な表示装置に係り、特に静電容量の変化に基づいて外部近接物体を検出可能なタッチ検出機能付き表示装置及び電子機器に関する。
【背景技術】
【０００２】
近年、いわゆるタッチパネルと呼ばれる、外部近接物体を検出可能なタッチ検出装置が注目されている。タッチパネルは、液晶表示装置等の表示装置上に装着または一体化される、タッチ検出機能付き表示装置に用いられている。そして、タッチ検出機能付き表示装置は、表示装置に各種のボタン画像等を表示させることにより、タッチパネルを通常の機械式ボタンの代わりとして情報入力を可能としている。このようなタッチパネルを有する、タッチ検出機能付き表示装置は、キーボードやマウス、キーパッドのような入力装置を必要としないため、コンピュータのほか、携帯電話のような携帯情報端末などでも、使用が拡大する傾向にある。
【０００３】
タッチ検出装置の方式として、光学式、抵抗式、静電容量式などいくつかの方式が存在する。静電容量式のタッチ検出装置は、携帯端末などに用いて、比較的単純な構造をもち、かつ低消費電力が実現できる。例えば、特許文献１には、透光性電極パターンの不可視化対策がされたタッチパネルが記載されている。
【先行技術文献】
【特許文献】
【０００４】
【特許文献１】特開２０１０−１９７５７６号公報
【発明の概要】
【発明が解決しようとする課題】
【０００５】
さらに、タッチ検出機能付き表示装置では、薄型化、大画面化または高精細化のため、タッチ検出電極の低抵抗化が求められている。タッチ検出電極は、透光性電極の材料としてＩＴＯ（Indium  Tin  Oxide）等の透光性導電酸化物が用いられている。タッチ検出電極を低抵抗にするには、金属材料などの導電性材料を用いることが有効である。しかし、金属材料などの導電性材料を用いると、表示装置の画素と金属材料などの導伝性材料との干渉によりモアレが視認される可能性がある。
【０００６】
本開示は、かかる問題点に鑑みてなされたもので、その目的は、金属材料などの導電性材料のタッチ検出電極を用いつつ、モアレが視認される可能性を低減できるタッチ検出機能付き表示装置を提供することにある。
【課題を解決するための手段】
【０００７】
本開示によるタッチ検出機能付き表示装置は、基板と、前記基板の表面と平行な面に、複数の色領域で構成される画素が行列状に配置される表示領域と、第１端部と第２端部とを直線で結んだ細線片を複数含み、隣り合う細線片は一方の細線片の第２端部と他方の細線片の第１端部とが接続された、前記基板の表面と平行な面に延在する導電性細線が複数配置されるタッチ検出電極と、前記タッチ検出電極に対して静電容量を有する駆動電極と、前記表示領域に画像を表示する機能を有する表示機能層と、を含み、前記隣り合う細線片は、一方の細線片の第２端部と他方の細線片の第１端部とが接続される部分である屈曲部で折り返すように配置され、前記複数の導電性細線は、前記隣り合う細線片のなす角度が他の屈曲部と異なる屈曲部を含む。
【０００８】
本開示の電子機器は、上記タッチ検出機能付き表示装置を備えたものである。本開示の電子機器は、例えば、テレビジョン装置、デジタルカメラ、パーソナルコンピュータ、ビデオカメラあるいは携帯電話等の携帯端末装置などが該当する。
【発明の効果】
【０００９】
本開示のタッチ検出機能付き表示装置及び電子機器によれば、金属材料などの導電性材料のタッチ検出電極を用いつつ、モアレが視認される可能性を低減できる。
【図面の簡単な説明】
【００１０】
【図１】図１は、実施形態１に係るタッチ検出機能付き表示装置の一構成例を表すブロック図である。
【図２】図２は、静電容量型タッチ検出方式の基本原理を説明するため、指が接触または近接していない状態を表す説明図である。
【図３】図３は、図２に示す指が接触または近接していない状態の等価回路の例を示す説明図である。
【図４】図４は、静電容量型タッチ検出方式の基本原理を説明するため、指が接触または近接した状態を表す説明図である。
【図５】図５は、図４に示す指が接触または近接した状態の等価回路の例を示す説明図である。
【図６】図６は、駆動信号及びタッチ検出信号の波形の一例を表す図である。
【図７】図７は、タッチ検出機能付き表示装置を実装したモジュールの一例を示す図である。
【図８】図８は、タッチ検出機能付き表示装置を実装したモジュールの一例を示す図である。
【図９】図９は、実施形態１に係るタッチ検出機能付き表示デバイスの概略断面構造を表す断面図である。
【図１０】図１０は、実施形態１に係るタッチ検出機能付き表示デバイスの画素配置を表す回路図である。
【図１１】図１１は、実施形態１に係るタッチ検出機能付き表示デバイスの駆動電極及びタッチ検出電極の一構成例を表す斜視図である。
【図１２】図１２は、実施形態１に係るタッチ検出機能付き表示装置の一動作例を表すタイミング波形図である。
【図１３】図１３は、実施形態１に係るタッチ検出電極の配置を表す模式図である。
【図１４】図１４は、実施形態１の変形例１に係るタッチ検出電極の配置の一部を表す模式図である。
【図１５】図１５は、実施形態１の変形例２に係るタッチ検出電極の配置の一部を表す模式図である。
【図１６】図１６は、実施形態１の変形例３に係る細線片の第１端部と第２端部との相対的な位置関係を説明する模式図である。
【図１７】図１７は、実施形態１の変形例３に係るタッチ検出機能付き表示装置に対するモアレ評価を示した図である。
【図１８】図１８は、実施形態１の変形例４に係る細線片の第１端部と第２端部との相対的な位置関係を説明する模式図である。
【図１９】図１９は、実施形態１の変形例４に係るタッチ検出機能付き表示装置に対するモアレ評価を示した図である。
【図２０】図２０は、実施形態２に係るタッチ検出電極の配置を表す模式図である。
【図２１】図２１は、実施形態２の変形例１に係るタッチ検出電極の配置の一部を表す模式図である。
【図２２】図２２は、実施形態３に係るタッチ検出機能付き表示デバイスの概略断面構造を表す断面図である。
【図２３】図２３は、実施形態１〜３及び変形例に係るタッチ検出機能付き表示装置または表示装置を適用する電子機器の一例を示す図である。
【図２４】図２４は、実施形態１〜３及び変形例に係るタッチ検出機能付き表示装置または表示装置を適用する電子機器の一例を示す図である。
【図２５】図２５は、実施形態１〜３及び変形例に係るタッチ検出機能付き表示装置または表示装置を適用する電子機器の一例を示す図である。
【図２６】図２６は、実施形態１〜３及び変形例に係るタッチ検出機能付き表示装置または表示装置を適用する電子機器の一例を示す図である。
【図２７】図２７は、実施形態１〜３及び変形例に係るタッチ検出機能付き表示装置または表示装置を適用する電子機器の一例を示す図である。
【図２８】図２８は、実施形態１〜３及び変形例に係るタッチ検出機能付き表示装置または表示装置を適用する電子機器の一例を示す図である。
【図２９】図２９は、実施形態１〜３及び変形例に係るタッチ検出機能付き表示装置または表示装置を適用する電子機器の一例を示す図である。
【図３０】図３０は、実施形態１〜３及び変形例に係るタッチ検出機能付き表示装置または表示装置を適用する電子機器の一例を示す図である。
【図３１】図３１は、実施形態１〜３及び変形例に係るタッチ検出機能付き表示装置または表示装置を適用する電子機器の一例を示す図である。
【図３２】図３２は、実施形態１〜３及び変形例に係るタッチ検出機能付き表示装置または表示装置を適用する電子機器の一例を示す図である。
【図３３】図３３は、実施形態１〜３及び変形例に係るタッチ検出機能付き表示装置または表示装置を適用する電子機器の一例を示す図である。
【図３４】図３４は、実施形態１〜３及び変形例に係るタッチ検出機能付き表示装置または表示装置を適用する電子機器の一例を示す図である。
【図３５】図３５は、実施形態１〜３及び変形例に係るタッチ検出機能付き表示装置または表示装置を適用する電子機器の一例を示す図である。
【発明を実施するための形態】
【００１１】
本開示を実施するための形態（実施形態）につき、図面を参照しつつ詳細に説明する。以下の実施形態に記載した内容により本開示が限定されるものではない。また、以下に記載した構成要素には、当業者が容易に想定できるもの、実質的に同一のものが含まれる。さらに、以下に記載した構成要素は適宜組み合わせることが可能である。なお、説明は以下の順序で行う。
１．実施形態（タッチ検出機能付き表示装置）
１−１．実施形態１
１−２．実施形態２
１−３．実施形態３
２．適用例（電子機器）
上記実施形態に係るタッチ検出機能付き表示装置が電子機器に適用されている例
３．本開示の構成
【００１２】
＜１．実施形態＞
［構成例］
（全体構成例）
図１は、実施形態１に係るタッチ検出機能付き表示装置の一構成例を表すブロック図である。タッチ検出機能付き表示装置１は、タッチ検出機能付き表示デバイス１０と、制御部１１と、ゲートドライバ１２と、ソースドライバ１３と、駆動電極ドライバ１４と、タッチ検出部４０とを備えている。このタッチ検出機能付き表示装置１は、タッチ検出機能付き表示デバイス１０がタッチ検出機能を内蔵した表示デバイスである。タッチ検出機能付き表示デバイス１０は、表示素子として液晶表示素子を用いている液晶表示デバイス２０と静電容量型のタッチ検出デバイス３０とを一体化した装置である。なお、タッチ検出機能付き表示デバイス１０は、表示素子として液晶表示素子を用いている液晶表示デバイス２０の上に、静電容量型のタッチ検出デバイス３０を装着した装置であってもよい。なお、液晶表示デバイス２０は、例えば、有機ＥＬ表示デバイスであってもよい。
【００１３】
液晶表示デバイス２０は、後述するように、ゲートドライバ１２から供給される走査信号Ｖｓｃａｎに従って、１水平ラインずつ順次走査して表示を行うデバイスである。制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらが互いに同期して動作するように制御する回路である。
【００１４】
ゲートドライバ１２は、制御部１１から供給される制御信号に基づいて、タッチ検出機能付き表示デバイス１０の表示駆動の対象となる１水平ラインを順次選択する機能を有している。
【００１５】
ソースドライバ１３は、制御部１１から供給される制御信号に基づいて、タッチ検出機能付き表示デバイス１０の、後述する各副画素ＳＰｉｘに画素信号Ｖｐｉｘを供給する回路である。
【００１６】
駆動電極ドライバ１４は、制御部１１から供給される制御信号に基づいて、タッチ検出機能付き表示デバイス１０の、後述する駆動電極ＣＯＭＬに駆動信号Ｖｃｏｍを供給する回路である。
【００１７】
タッチ検出部４０は、制御部１１から供給される制御信号と、タッチ検出機能付き表示デバイス１０のタッチ検出デバイス３０から供給されたタッチ検出信号Ｖｄｅｔに基づいて、タッチ検出デバイス３０に対するタッチ（後述する接触または近接の状態）の有無を検出し、タッチがある場合においてタッチ検出領域におけるその座標などを求める回路である。このタッチ検出部４０はタッチ検出信号増幅部４２と、Ａ／Ｄ変換部４３と、信号処理部４４と、座標抽出部４５と、検出タイミング制御部４６とを備えている。
【００１８】
タッチ検出信号増幅部４２は、タッチ検出デバイス３０から供給されるタッチ検出信号Ｖｄｅｔを増幅する。タッチ検出信号増幅部４２は、タッチ検出信号Ｖｄｅｔに含まれる高い周波数成分（ノイズ成分）を除去し、タッチ成分を取り出してそれぞれ出力する低域通過アナログフィルタを備えていてもよい。
【００１９】
（静電容量型タッチ検出の基本原理）
タッチ検出デバイス３０は、静電容量型タッチ検出の基本原理に基づいて動作し、タッチ検出信号Ｖｄｅｔを出力する。図１〜図６を参照して、実施形態１のタッチ検出機能付き表示装置１におけるタッチ検出の基本原理について説明する。図２は、静電容量型タッチ検出方式の基本原理を説明するため、指が接触または近接していない状態を表す説明図である。図３は、図２に示す指が接触または近接していない状態の等価回路の例を示す説明図である。図４は、静電容量型タッチ検出方式の基本原理を説明するため、指が接触または近接した状態を表す説明図である。図５は、図４に示す指が接触または近接した状態の等価回路の例を示す説明図である。図６は、駆動信号及びタッチ検出信号の波形の一例を表す図である。
【００２０】
例えば、図２及び図４に示すように、容量素子Ｃ１、Ｃ１’は、誘電体Ｄを挟んで互いに対向配置された一対の電極、駆動電極Ｅ１及びタッチ検出電極Ｅ２を備えている。図３に示すように、容量素子Ｃ１は、その一端が交流信号源（駆動信号源）Ｓに接続され、他端は電圧検出器（タッチ検出部）ＤＥＴに接続される。電圧検出器ＤＥＴは、例えば図１に示すタッチ検出信号増幅部４２に含まれる積分回路である。
【００２１】
交流信号源Ｓから駆動電極Ｅ１（容量素子Ｃ１の一端）に所定の周波数（例えば数ｋＨｚ〜数百ｋＨｚ程度）の交流矩形波Ｓｇを印加すると、タッチ検出電極Ｅ２（容量素子Ｃ１の他端）側に接続された電圧検出器ＤＥＴを介して、出力波形（タッチ検出信号Ｖｄｅｔ）が現れる。なお、この交流矩形波Ｓｇは、後述するタッチ駆動信号Ｖｃｏｍｔに相当するものである。
【００２２】
指が接触（または近接）していない状態（非接触状態）では、図２及び図３に示すように、容量素子Ｃ１に対する充放電に伴って、容量素子Ｃ１の容量値に応じた電流Ｉ０が流れる。図６に示すように電圧検出器ＤＥＴは、交流矩形波Ｓｇに応じた電流Ｉ０の変動を電圧の変動（実線の波形Ｖ０）に変換する。
【００２３】
一方、指が接触（または近接）した状態（接触状態）では、図４に示すように、指によって形成される静電容量Ｃ２がタッチ検出電極Ｅ２と接しているまたは近傍にあることにより、駆動電極Ｅ１及びタッチ検出電極Ｅ２の間にあるフリンジ分の静電容量が遮られ、容量素子Ｃ１の容量値よりも容量値の小さい容量素子Ｃ１’として作用する。そして、図５に示す等価回路でみると、容量素子Ｃ１’に電流Ｉ１が流れる。図６に示すように、電圧検出器ＤＥＴは、交流矩形波Ｓｇに応じた電流Ｉ１の変動を電圧の変動（点線の波形Ｖ１）に変換する。この場合、波形Ｖ１は、上述した波形Ｖ０と比べて振幅が小さくなる。これにより、波形Ｖ０と波形Ｖ１との電圧差分の絶対値｜ΔＶ｜は、指などの外部から近接する物体の影響に応じて変化することになる。なお、電圧検出器ＤＥＴは、波形Ｖ０と波形Ｖ１との電圧差分の絶対値｜ΔＶ｜を精度よく検出するため、回路内のスイッチングにより、交流矩形波Ｓｇの周波数に合わせて、コンデンサの充放電をリセットする期間Ｒｅｓｅｔを設けた動作とすることがより好ましい。
【００２４】
図１に示すタッチ検出デバイス３０は、駆動電極ドライバ１４から供給される駆動信号Ｖｃｏｍ（後述するタッチ駆動信号Ｖｃｏｍｔ）に従って、１検出ブロックずつ順次走査してタッチ検出を行うようになっている。
【００２５】
タッチ検出デバイス３０は、複数の後述するタッチ検出電極ＴＤＬから、図３または図５に示す電圧検出器ＤＥＴを介して、検出ブロック毎にタッチ検出信号Ｖｄｅｔを出力し、タッチ検出部４０のＡ／Ｄ変換部４３に供給するようになっている。
【００２６】
Ａ／Ｄ変換部４３は、駆動信号Ｖｃｏｍに同期したタイミングで、タッチ検出信号増幅部４２から出力されるアナログ信号をそれぞれサンプリングしてデジタル信号に変換する回路である。
【００２７】
信号処理部４４は、Ａ／Ｄ変換部４３の出力信号に含まれる、駆動信号Ｖｃｏｍをサンプリングした周波数以外の周波数成分（ノイズ成分）を低減するデジタルフィルタを備えている。信号処理部４４は、Ａ／Ｄ変換部４３の出力信号に基づいて、タッチ検出デバイス３０に対するタッチの有無を検出する論理回路である。信号処理部４４は、指による差分の電圧のみ取り出す処理を行う。この指による差分の電圧は、上述した波形Ｖ０と波形Ｖ１との差分の絶対値｜ΔＶ｜である。信号処理部４４は、１検出ブロック当たりの絶対値｜ΔＶ｜を平均化する演算を行い、絶対値｜ΔＶ｜の平均値を求めてもよい。これにより、信号処理部４４は、ノイズによる影響を低減できる。信号処理部４４は、検出した指による差分の電圧を所定のしきい値電圧と比較し、このしきい値電圧以上であれば、外部から近接する外部近接物体の接触状態と判断し、しきい値電圧未満であれば、外部近接物体の非接触状態と判断する。このようにして、タッチ検出部４０はタッチ検出が可能となる。
【００２８】
座標抽出部４５は、信号処理部４４においてタッチが検出されたときに、そのタッチパネル座標を求める論理回路である。検出タイミング制御部４６は、Ａ／Ｄ変換部４３と、信号処理部４４と、座標抽出部４５とが同期して動作するように制御する。座標抽出部４５は、タッチパネル座標を信号出力Ｖｏｕｔとして出力する。
【００２９】
（モジュール）
図７及び図８は、タッチ検出機能付き表示装置を実装したモジュールの一例を示す図である。図７に示すように、タッチ検出機能付き表示装置１は、モジュールへ実装するにあたり、ガラス基板のＴＦＴ基板２１上に上述した駆動電極ドライバ１４を形成してもよい。
【００３０】
図７に示すように、タッチ検出機能付き表示装置１は、タッチ検出機能付き表示デバイス１０と、駆動電極ドライバ１４と、ＣＯＧ（Chip  On  Glass）１９Ａとを有している。このタッチ検出機能付き表示デバイス１０は、後述するＴＦＴ基板２１の表面に対する垂直方向において、駆動電極ＣＯＭＬと、駆動電極ＣＯＭＬと立体交差するように形成されたタッチ検出電極ＴＤＬとを模式的に示している。つまり、駆動電極ＣＯＭＬは、タッチ検出機能付き表示デバイス１０の１辺に沿う方向に形成されており、タッチ検出電極ＴＤＬは、タッチ検出機能付き表示デバイス１０の他辺に沿う方向に形成されている。タッチ検出電極ＴＤＬの出力は、タッチ検出機能付き表示デバイス１０の前記他辺側に設けられ、フレキシブル基板などにより構成された端子部Ｔを介して、このモジュールの外部に実装されたタッチ検出部４０と接続されている。駆動電極ドライバ１４は、ガラス基板であるＴＦＴ基板２１に形成されている。ＣＯＧ１９Ａは、ＴＦＴ基板２１に実装されたチップであり、図１に示した制御部１１、ゲートドライバ１２、ソースドライバ１３など、表示動作に必要な各回路を内蔵したものである。また、図８に示すように、タッチ検出機能付き表示装置１は、ＣＯＧ（Chip  On  Glass）に駆動電極ドライバ１４を内蔵してもよい。
【００３１】
図８に示すように、タッチ検出機能付き表示装置１は、モジュールはＣＯＧ１９Ｂを有している。図８に示すＣＯＧ１９Ｂは、上述した表示動作に必要な各回路に加え、駆動電極ドライバ１４をさらに内蔵したものである。タッチ検出機能付き表示装置１は、後述するように、表示動作の際に、１水平ラインずつ線順次走査を行う。つまり、タッチ検出機能付き表示装置１は、表示走査を、タッチ検出機能付き表示デバイス１０の１辺に沿う方向と平行に行う。一方、タッチ検出機能付き表示装置１は、タッチ検出動作の際に、駆動電極ＣＯＭＬに駆動信号Ｖｃｏｍを順次印加することにより、１検出ラインずつ線順次走査が行われる。つまり、タッチ検出機能付き表示装置１は、タッチ検出走査を、タッチ検出機能付き表示デバイス１０の他辺に沿う方向と平行に行う。
【００３２】
（タッチ検出機能付き表示デバイス）
次に、タッチ検出機能付き表示デバイス１０の構成例を詳細に説明する。図９は、実施形態１に係るタッチ検出機能付き表示デバイスの概略断面構造を表す断面図である。図１０は、実施形態１に係るタッチ検出機能付き表示デバイスの画素配置を表す回路図である。タッチ検出機能付き表示デバイス１０は、画素基板２と、この画素基板２の表面に垂直な方向に対向して配置された対向基板３と、画素基板２と対向基板３との間に挿設された液晶層６とを備えている。
【００３３】
画素基板２は、回路基板としてのＴＦＴ基板２１と、このＴＦＴ基板２１上に行列状に配設された複数の画素電極２２と、ＴＦＴ基板２１及び画素電極２２の間に形成された複数の駆動電極ＣＯＭＬと、画素電極２２と駆動電極ＣＯＭＬとを絶縁する絶縁層２４と、を含む。ＴＦＴ基板２１には、図１０に示す各副画素ＳＰｉｘの薄膜トランジスタ（ＴＦＴ；Thin Film Transistor）素子Ｔｒ、図９に示す各画素電極２２に画素信号Ｖｐｉｘを供給する信号線ＳＧＬ、各ＴＦＴ素子Ｔｒを駆動する走査線ＧＣＬ等の配線が形成されている。このように、信号線ＳＧＬは、ＴＦＴ基板２１の表面と平行な平面に延在し、画素に画像を表示するための画素信号Ｖｐｉｘを供給する。図１０に示す液晶表示デバイス２０は、行列状に配置した複数の副画素ＳＰｉｘを有している。副画素ＳＰｉｘは、ＴＦＴ素子Ｔｒ及び液晶素子ＬＣを備えている。ＴＦＴ素子Ｔｒは、薄膜トランジスタにより構成されるものであり、この例では、ｎチャネルのＭＯＳ（Metal Oxide Semiconductor）型のＴＦＴで構成されている。ＴＦＴ素子Ｔｒのソースまたはドレインの一方は信号線ＳＧＬに接続され、ゲートは走査線ＧＣＬに接続され、ソースまたはドレインの他方は液晶素子ＬＣの一端に接続されている。液晶素子ＬＣは、例えば、一端がＴＦＴ素子Ｔｒのドレインに接続され、他端が駆動電極ＣＯＭＬに接続されている。
【００３４】
図１０に示す副画素ＳＰｉｘは、走査線ＧＣＬにより、液晶表示デバイス２０の同じ行に属する他の副画素ＳＰｉｘと互いに接続されている。走査線ＧＣＬは、ゲートドライバ１２と接続され、ゲートドライバ１２より走査信号Ｖｓｃａｎが供給される。また、副画素ＳＰｉｘは、信号線ＳＧＬにより、液晶表示デバイス２０の同じ列に属する他の副画素ＳＰｉｘと互いに接続されている。信号線ＳＧＬは、ソースドライバ１３と接続され、ソースドライバ１３より画素信号Ｖｐｉｘが供給される。さらに、副画素ＳＰｉｘは、駆動電極ＣＯＭＬにより、液晶表示デバイス２０の同じ行に属する他の副画素ＳＰｉｘと互いに接続されている。駆動電極ＣＯＭＬは、駆動電極ドライバ１４と接続され、駆動電極ドライバ１４より駆動信号Ｖｃｏｍが供給される。つまり、この例では、同じ一行に属する複数の副画素ＳＰｉｘが１本の駆動電極ＣＯＭＬを共有するようになっている。実施形態１の駆動電極ＣＯＭＬの延びる方向は、走査線ＧＣＬの延びる方向と平行である。実施形態１の駆動電極ＣＯＭＬの延びる方向は、限定されず、例えば、駆動電極ＣＯＭＬの延びる方向は、信号線ＳＧＬの延びる方向と平行な方向であってもよい。
【００３５】
図１に示すゲートドライバ１２は、走査信号Ｖｓｃａｎを、図１０に示す走査線ＧＣＬを介して、画素ＰｉｘのＴＦＴ素子Ｔｒのゲートに印加することにより、液晶表示デバイス２０に行列状に形成されている副画素ＳＰｉｘのうちの１行（１水平ライン）を表示駆動の対象として順次選択する。図１に示すソースドライバ１３は、画素信号Ｖｐｉｘを、図１０に示す信号線ＳＧＬを介して、ゲートドライバ１２により順次選択される１水平ラインを構成する各副画素ＳＰｉｘにそれぞれ供給する。そして、これらの副画素ＳＰｉｘでは、供給される画素信号Ｖｐｉｘに応じて、１水平ラインの表示が行われるようになっている。図１に示す駆動電極ドライバ１４は、駆動信号Ｖｃｏｍを印加し、図７及び図８に示す、所定の本数の駆動電極ＣＯＭＬからなるブロック毎に駆動電極ＣＯＭＬを駆動する。
【００３６】
上述したように、液晶表示デバイス２０は、ゲートドライバ１２が走査線ＧＣＬを時分割的に線順次走査するように駆動することにより、１水平ラインが順次選択される。また、液晶表示デバイス２０は、１水平ラインに属する副画素ＳＰｉｘに対して、ソースドライバ１３が画素信号Ｖｐｉｘを供給することにより、１水平ラインずつ表示が行われる。この表示動作を行う際、駆動電極ドライバ１４は、その１水平ラインに対応する駆動電極ＣＯＭＬを含むブロックに対して駆動信号Ｖｃｏｍを印加するようになっている。
【００３７】
実施形態１に係る駆動電極ＣＯＭＬは、液晶表示デバイス２０の駆動電極として機能するとともに、タッチ検出デバイス３０の駆動電極としても機能する。図１１は、実施形態１に係るタッチ検出機能付き表示デバイスの駆動電極及びタッチ検出電極の一構成例を表す斜視図である。図１１に示す駆動電極ＣＯＭＬは、図９に示すように、ＴＦＴ基板２１の表面に対する垂直方向において、画素電極２２に対向している。タッチ検出デバイス３０は、画素基板２に設けられた駆動電極ＣＯＭＬと、対向基板３に設けられたタッチ検出電極ＴＤＬにより構成されている。タッチ検出電極ＴＤＬは、駆動電極ＣＯＭＬの電極パターンの延在方向と交差する方向に延びるストライプ状の電極パターンから構成されている。そして、タッチ検出電極ＴＤＬは、ＴＦＴ基板２１の表面に対する垂直な方向において、駆動電極ＣＯＭＬと対向している。タッチ検出電極ＴＤＬの各電極パターンは、タッチ検出部４０のタッチ検出信号増幅部４２の入力にそれぞれ接続されている。駆動電極ＣＯＭＬとタッチ検出電極ＴＤＬにより互いに交差した電極パターンは、その交差部分に静電容量を生じさせている。なお、タッチ検出電極ＴＤＬまたは駆動電極ＣＯＭＬ（駆動電極ブロック）は、ストライプ状に複数に分割される形状に限られない。例えば、タッチ検出電極ＴＤＬまたは駆動電極ＣＯＭＬ（駆動電極ブロック）は、櫛歯形状であってもよい。あるいはタッチ検出電極ＴＤＬまたは駆動電極ＣＯＭＬ（駆動電極ブロック）は、複数に分割されていればよく、駆動電極ＣＯＭＬを分割するスリットの形状は直線であっても、曲線であってもよい。
【００３８】
この構成により、タッチ検出デバイス３０では、タッチ検出動作を行う際、駆動電極ドライバ１４が、駆動電極ブロックを時分割的に線順次走査するように駆動する。これにより、スキャン方向Ｓｃａｎに駆動電極ＣＯＭＬの１検出ブロックが順次選択される。そして、タッチ検出電極ＴＤＬからタッチ検出信号Ｖｄｅｔを出力する。このようにタッチ検出デバイス３０は、１検出ブロックのタッチ検出が行われるようになっている。つまり、駆動電極ブロックは、上述したタッチ検出の基本原理における駆動電極Ｅ１に対応し、タッチ検出電極ＴＤＬは、タッチ検出電極Ｅ２に対応するものであり、タッチ検出デバイス３０はこの基本原理に従ってタッチを検出するようになっている。図１１に示すように、互いに交差した電極パターンは、静電容量式タッチセンサを行列状に構成している。よって、タッチ検出デバイス３０のタッチ検出面全体にわたって走査することにより、外部近接物体の接触または近接が生じた位置の検出も可能となっている。
【００３９】
液晶層６は、電界の状態に応じてそこを通過する光を変調するものであり、例えば、ＦＦＳ（フリンジフィールドスイッチング）またはＩＰＳ（インプレーンスイッチング）等の横電界モードの液晶を用いた液晶表示デバイスが用いられる。なお、図９に示す液晶層６と画素基板２との間、及び液晶層６と対向基板３との間には、それぞれ配向膜が配設されてもよい。
【００４０】
対向基板３は、ガラス基板３１と、このガラス基板３１の一方の面に形成されたカラーフィルタ３２とを含む。ガラス基板３１の他方の面には、タッチ検出デバイス３０の検出電極であるタッチ検出電極ＴＤＬが形成され、さらに、このタッチ検出電極ＴＤＬの上には、偏光板３５が配設されている。
【００４１】
図９に示すカラーフィルタ３２は、例えば赤（Ｒ）、緑（Ｇ）、青（Ｂ）の３色に着色されたカラーフィルタの色領域を周期的に配置して、上述した図１０に示す各副画素ＳＰｉｘにＲ、Ｇ、Ｂの３色の色領域３２Ｒ、３２Ｇ、３２Ｂ（図１０参照）が対応付けられ、色領域３２Ｒ、３２Ｇ、３２Ｂを１組として画素Ｐｉｘを構成している。画素Ｐｉｘは、走査線ＧＣＬに平行な方向及び信号線ＳＧＬに平行な方向に沿って行列状に配置され、後述する表示領域Ａｄを形成する。カラーフィルタ３２は、ＴＦＴ基板２１と垂直な方向において、液晶層６と対向する。このように、副画素ＳＰｉｘは、単色の色表示を行うことができる。なお、カラーフィルタ３２は、異なる色に着色されていれば、他の色の組み合わせであってもよい。また、カラーフィルタ３２は、なくてもよい。このように、カラーフィルタ３２が存在しない領域、すなわち着色しない副画素ＳＰｉｘがあってもよい。
【００４２】
ここで、ガラス基板３１は、本開示における「基板」の一具体例に対応する。色領域３２Ｒ、３２Ｇ、３２Ｂは、本開示における「色領域」の一具体例に対応する。画素Ｐｉｘは、本開示における「画素」の一具体例に対応する。タッチ検出電極ＴＤＬは、本開示における「タッチ検出電極」の一具体例に対応する。駆動電極ＣＯＭＬは、本開示における「駆動電極」の一具体例に対応する。液晶層６は、本開示における「表示機能層」の一具体例に対応する。
【００４３】
［動作及び作用］
続いて、実施形態１のタッチ検出機能付き表示装置１の動作及び作用について説明する。
【００４４】
駆動電極ＣＯＭＬは、液晶表示デバイス２０の共通駆動電極として機能するとともに、タッチ検出デバイス３０の駆動電極としても機能するため、駆動信号Ｖｃｏｍが互いに影響を及ぼす可能性がある。このため、駆動電極ＣＯＭＬは、表示動作を行う表示期間Ｂと、タッチ検出動作を行うタッチ検出期間Ａとに分けて駆動信号Ｖｃｏｍが印加される。駆動電極ドライバ１４は、表示動作を行う表示期間Ｂにおいては表示駆動信号として駆動信号Ｖｃｏｍを印加する。そして、駆動電極ドライバ１４は、タッチ検出動作を行うタッチ検出期間Ａにおいてはタッチ駆動信号として駆動信号Ｖｃｏｍを印加する。以下の説明では、表示駆動信号としての駆動信号Ｖｃｏｍを、表示駆動信号Ｖｃｏｍｄとして記載し、タッチ駆動信号としての駆動信号Ｖｃｏｍを、タッチ駆動信号Ｖｃｏｍｔとして記載する。
【００４５】
（全体動作概要）
制御部１１は、外部より供給された映像信号Ｖｄｉｓｐに基づいて、ゲートドライバ１２、ソースドライバ１３、駆動電極ドライバ１４、及びタッチ検出部４０に対してそれぞれ制御信号を供給し、これらがお互いに同期して動作するように制御する。ゲートドライバ１２は、表示期間Ｂにおいて、液晶表示デバイス２０に走査信号Ｖｓｃａｎを供給し、表示駆動の対象となる１水平ラインを順次選択する。ソースドライバ１３は、表示期間Ｂにおいて、ゲートドライバ１２により選択された１水平ラインを構成する各画素Ｐｉｘに、画素信号Ｖｐｉｘを供給する。
【００４６】
表示期間Ｂでは、駆動電極ドライバ１４が１水平ラインに係る駆動電極ブロックに表示駆動信号Ｖｃｏｍｄを印加し、タッチ検出期間Ａでは、駆動電極ドライバ１４がタッチ検出動作に係る駆動電極ブロックに対してタッチ駆動信号Ｖｃｏｍｔを順次印加し、１検出ブロックを順次選択する。タッチ検出機能付き表示デバイス１０は、表示期間Ｂにおいて、ゲートドライバ１２、ソースドライバ１３、及び駆動電極ドライバ１４により供給された信号に基づいて表示動作を行う。タッチ検出機能付き表示デバイス１０は、タッチ検出期間Ａにおいて、駆動電極ドライバ１４により供給された信号に基づいてタッチ検出動作を行い、タッチ検出電極ＴＤＬからタッチ検出信号Ｖｄｅｔを出力する。タッチ検出信号増幅部４２は、タッチ検出信号Ｖｄｅｔを増幅して出力する。Ａ／Ｄ変換部４３は、タッチ駆動信号Ｖｃｏｍｔに同期したタイミングで、タッチ検出信号増幅部４２から出力されるアナログ信号をデジタル信号に変換する。信号処理部４４は、Ａ／Ｄ変換部４３の出力信号に基づいて、タッチ検出デバイス３０に対するタッチの有無を検出する。座標抽出部４５は、信号処理部４４においてタッチ検出がなされたときに、そのタッチパネル座標を求める。
【００４７】
（詳細動作）
次に、タッチ検出機能付き表示装置１の詳細動作を説明する。図１２は、実施形態１に係るタッチ検出機能付き表示装置の一動作例を表すタイミング波形図である。図１２に示すように、液晶表示デバイス２０は、ゲートドライバ１２から供給される走査信号Ｖｓｃａｎに従って、走査線ＧＣＬのうちの、隣接する（ｎ−１）行目、ｎ行目、（ｎ＋１）行目の走査線ＧＣＬの１水平ラインずつ順次走査して表示を行う。同様に、駆動電極ドライバ１４は、制御部１１から供給される制御信号に基づいて、タッチ検出機能付き表示デバイス１０の、駆動電極ＣＯＭＬのうちの、隣接する（ｍ−１）列目、ｍ列目、（ｍ＋１）列目に供給する。
【００４８】
このように、タッチ検出機能付き表示装置１では、１表示水平期間（１Ｈ）毎に、タッチ検出動作（タッチ検出期間Ａ）と表示動作（表示期間Ｂ）を時分割的に行う。タッチ検出動作では、１表示水平期間１Ｈ毎に、異なる駆動電極ＣＯＭＬを選択して駆動信号Ｖｃｏｍを印加することにより、タッチ検出の走査を行う。以下に、その動作を詳細に説明する。
【００４９】
まず、ゲートドライバ１２が、（ｎ−１）行目の走査線ＧＣＬに対して走査信号Ｖｓｃａｎを印加し、走査信号Ｖｓｃａｎ（ｎ−１）が低レベルから高レベルに変化する。これにより、１表示水平期間１Ｈが開始する。
【００５０】
次に、タッチ検出期間Ａにおいて、駆動電極ドライバ１４が、（ｍ−１）列目の駆動電極ＣＯＭＬに対して駆動信号Ｖｃｏｍを印加し、駆動信号Ｖｃｏｍ（ｍ−１）が低レベルから高レベルに変化する。この駆動信号Ｖｃｏｍ（ｍ−１）は、静電容量を介してタッチ検出電極ＴＤＬに伝わり、タッチ検出信号Ｖｄｅｔが変化する。次に、駆動信号Ｖｃｏｍ（ｍ−１）が高レベルから低レベルに変化すると、タッチ検出信号Ｖｄｅｔは同様に変化する。このタッチ検出期間Ａにおけるタッチ検出信号Ｖｄｅｔの波形は、上述したタッチ検出の基本原理における、タッチ検出信号Ｖｄｅｔに対応するものである。Ａ／Ｄ変換部４３は、このタッチ検出期間Ａにおけるタッチ検出信号ＶｄｅｔをＡ／Ｄ変換することによりタッチ検出を行う。これにより、タッチ検出機能付き表示装置１では、１検出ラインのタッチ検出が行われる。
【００５１】
次に、表示期間Ｂにおいて、ソースドライバ１３が、信号線ＳＧＬに対して画素信号Ｖｐｉｘを印加し、１水平ラインに対する表示を行う。なお、図１２に示したように、この画素信号Ｖｐｉｘの変化が、寄生容量を介してタッチ検出電極ＴＤＬに伝わり、タッチ検出信号Ｖｄｅｔが変化し得るが、表示期間ＢではＡ／Ｄ変換部４３がＡ／Ｄ変換を行わないようにすることにより、この画素信号Ｖｐｉｘの変化のタッチ検出に対する影響を抑えることができる。ソースドライバ１３による画素信号Ｖｐｉｘの供給が終了したのち、ゲートドライバ１２が、（ｎ−１）行目の走査線ＧＣＬの走査信号Ｖｓｃａｎ（ｎ−１）を高レベルから低レベルに変化させ、１表示水平期間が終了する。
【００５２】
次に、ゲートドライバ１２は、先ほどとは異なるｎ行目の走査線ＧＣＬに対して走査信号Ｖｓｃａｎを印加し、走査信号Ｖｓｃａｎ（ｎ）が低レベルから高レベルに変化する。これにより、次の１表示水平期間が開始する。
【００５３】
次のタッチ検出期間Ａにおいて、駆動電極ドライバ１４が、先ほどとは異なるｍ列目の駆動電極ＣＯＭＬに対して駆動信号Ｖｃｏｍを印加する。そして、タッチ検出信号Ｖｄｅｔの変化を、Ａ／Ｄ変換部４３がＡ／Ｄ変換することにより、この１検出ラインのタッチ検出が行われる。
【００５４】
次に、表示期間Ｂにおいて、ソースドライバ１３が、信号線ＳＧＬに対して画素信号Ｖｐｉｘを印加し、１水平ラインに対する表示を行う。また、駆動電極ドライバ１４が表示駆動信号Ｖｃｏｍｄを駆動電極ＣＯＭＬに共通電位として印加している。ここで、表示駆動信号Ｖｃｏｍｄの電位は、例えば、タッチ検出期間Ａにおける駆動信号Ｖｃｏｍｔの低レベルの電位となっている。なお、実施形態１のタッチ検出機能付き表示装置１はドット反転駆動を行うため、ソースドライバ１３が印加する画素信号Ｖｐｉｘは、前の１表示水平期間のものと比べて、その極性が反転している。この表示期間Ｂが終了した後、この１表示水平期間１Ｈが終了する。
【００５５】
これ以降、上述した動作を繰り返すことにより、タッチ検出機能付き表示装置１は、表示面全面にわたる走査により表示動作を行うとともに、タッチ検出面全面にわたる走査によりタッチ検出動作を行う。
【００５６】
タッチ検出機能付き表示装置１では、１表示水平期間（１Ｈ）において、タッチ検出動作はタッチ検出期間Ａに行い、表示動作は表示期間Ｂに行うようにしている。このように、タッチ検出動作と表示動作とを別々の期間に行うようにしたので、同じ１表示水平期間において表示動作とタッチ検出動作の両方を行うことができるとともに、表示動作のタッチ検出に対する影響を抑えることができる。
【００５７】
（タッチ検出電極の配置）
図１３は、実施形態１に係るタッチ検出電極ＴＤＬの配置を表す模式図である。図１３に示すように、実施形態１に係るタッチ検出電極ＴＤＬは、対向基板３と平行な平面上に、全体を俯瞰してみれば方向Ｄａに延在する複数の導電性細線ＭＬ１、ＭＬ２、ＭＬ３、ＭＬ４を含む。導電性細線ＭＬ１、ＭＬ２、ＭＬ３、ＭＬ４は、屈曲部ＴＤＣ１、ＴＤＣ２、ＴＤＣ３、ＴＤＣ４で折り返すジグザグ線または波線である。導電性細線ＭＬ１、ＭＬ２、ＭＬ３、ＭＬ４は、同じ材料で形成される。導電性細線ＭＬ１及び導電性細線ＭＬ２は、導電性細線ＭＬ１の端部ＭＬ１ｅ及び導電性細線ＭＬ２の端部ＭＬ２ｅで第１導通部ＴＤＢ１を介して接続され導通している。導電性細線ＭＬ１及び導電性細線ＭＬ２は、第１導通部ＴＤＢ１で接続する部分を除いて互いに交差する部分を有さないように延在し、検出領域ＴＤＡに属する。また、導電性細線ＭＬ３及び導電性細線ＭＬ４は、導電性細線ＭＬ３の端部ＭＬ３ｅ及び導電性細線ＭＬ４の端部ＭＬ４ｅで第１導通部ＴＤＢ１を介して接続され導通している。導電性細線ＭＬ３及び導電性細線ＭＬ４は、第１導通部ＴＤＢ１で接続する部分を除いて互いに交差する部分を有さないように延在し、検出領域ＴＤＡに属する。
【００５８】
複数の検出領域ＴＤＡは、互いに一定の間隔を有して延在している。複数の検出領域ＴＤＡは、第１導通部ＴＤＢ１同士が第２導通部ＴＤＢ２を介して接続され導通している。第２導通部ＴＤＢ２は、検出配線ＴＤＧを介して図１に示すタッチ検出部４０に接続される。また、第１導通部ＴＤＢ１及び第２導通部ＴＤＢ２は、導電性細線ＭＬ１、ＭＬ２、ＭＬ３、ＭＬ４と同じ材料で形成される。上記の構成により、導電性細線数を減らせると同時に、一定の範囲に対して複数の導電性細線ＭＬ１、ＭＬ２、ＭＬ３、ＭＬ４でタッチ検出を行うため、タッチ検出を行う際の抵抗を低くすることができる。なお、検出領域ＴＤＡは、３本以上の導電性細線を含んでもよいし、１本の導電性細線を含んでもよい。
【００５９】
導電性細線ＭＬ１は、細線片Ｕａ、細線片Ｕｂ及び細線片Ｕｃを含む。導電性細線ＭＬ１は、端部ＭＬ１ｅから方向Ｄａに向かって細線片Ｕａ、細線片Ｕｂ、細線片Ｕｃ、細線片Ｕｂ、細線片Ｕａ、細線片Ｕｂ、細線片Ｕａ、細線片Ｕｂの順に接続されている。細線片Ｕａ、細線片Ｕｂ及びＵｃが延びる方向は、互いに異なる方向である。細線片Ｕａは、導電性材料のパターンであり、第１端部Ｕａ１と第２端部Ｕａ２を含む。細線片Ｕｂは、導電性材料のパターンであり、第１端部Ｕｂ１と第２端部Ｕｂ２を含む。細線片Ｕｃは、導電性材料のパターンであり、第１端部Ｕｃ１と第２端部Ｕｃ２を含む。
【００６０】
細線片Ｕａと細線片Ｕｂとは、細線片Ｕａの第２端部Ｕａ２と細線片Ｕｂの第１端部Ｕｂ１とが接続され導通している。当該接続される部分は、屈曲部ＴＤＣ１である。また、細線片Ｕａと細線片Ｕｂとは、細線片Ｕｂの第２端部Ｕｂ２と細線片Ｕａの第１端部Ｕａ１とが接続され導通している。当該接続される部分は、屈曲部ＴＤＣ４である。屈曲部ＴＤＣ１及び屈曲部ＴＤＣ４において、細線片Ｕａと細線片Ｕｂがなす角度は角度θ１である。
【００６１】
細線片Ｕｂと細線片Ｕｃとは、細線片Ｕｂの第２端部Ｕｂ２と細線片Ｕｃの第１端部Ｕｃ１とが接続され導通している。当該接続される部分は、屈曲部ＴＤＣ２である。また、細線片Ｕｂと細線片Ｕｃとは、細線片Ｕｃの第２端部Ｕｃ２と細線片Ｕｂの第１端部Ｕｂ１とが接続され導通している。当該接続される部分は、屈曲部ＴＤＣ３である。屈曲部ＴＤＣ２及び屈曲部ＴＤＣ３において、細線片Ｕｂと細線片Ｕｃがなす角度は角度θ２である。
【００６２】
細線片Ｕａ、細線片Ｕｂ及び細線片Ｕｃが互いに異なる方向に延びるため、細線片Ｕａ及び細線片Ｕｂがなす角度と、細線片Ｕｂ及び細線片Ｕｃがなす角度とは異なる。したがって、角度θ１及び角度θ２は、異なる大きさである。導電性細線ＭＬ１は、屈曲部ＴＤＣ１で隣り合う細線片Ｕａ及び細線片Ｕｂのなす角度θ１と、屈曲部ＴＤＣ１の次の屈曲部ＴＤＣ２で隣り合う細線片Ｕｂ及び細線片Ｕｃのなす角度θ２が異なる。
【００６３】
導電性細線ＭＬ２は、細線片Ｕａ、細線片Ｕｂ及び細線片Ｕｃを含む。導電性細線ＭＬ２は、端部ＭＬ２ｅから方向Ｄａに向かって細線片Ｕａ、細線片Ｕｂ、細線片Ｕａ、細線片Ｕｂ、細線片Ｕｃ、細線片Ｕｂ、細線片Ｕａ、細線片Ｕｂの順に接続されている。すなわち、導電性細線ＭＬ２は、２つの端部ＭＬ２ｅと導電性細線ＭＬ１の２つの端部ＭＬ１ｅとを重ねたとき、導電性細線ＭＬ１と重ならない部分を含む。このため、導電性細線ＭＬ２は、導電性細線ＭＬ１と異なる形状である。また、導電性細線ＭＬ２は、屈曲部ＴＤＣ１で隣り合う細線片Ｕａ及び細線片Ｕｂのなす角度θ１と、屈曲部ＴＤＣ１の次の屈曲部ＴＤＣ２で隣り合う細線片Ｕｂ及び細線片Ｕｃのなす角度θ２が異なる。
【００６４】
導電性細線ＭＬ３は、細線片Ｕａ、細線片Ｕｂ及び細線片Ｕｃを含む。導電性細線ＭＬ３は、端部ＭＬ３ｅから方向Ｄａに向かって細線片Ｕｃ、細線片Ｕｂ、細線片Ｕａ、細線片Ｕｂ、細線片Ｕａ、細線片Ｕｂ、細線片Ｕａ、細線片Ｕｂの順に接続されている。すなわち、導電性細線ＭＬ３は、２つの端部ＭＬ３ｅと導電性細線ＭＬ１の２つの端部ＭＬ１ｅとを重ねたとき、導電性細線ＭＬ１と重ならない部分を含む。導電性細線ＭＬ３は、２つの端部ＭＬ３ｅと導電性細線ＭＬ２の２つの端部ＭＬ２ｅとを重ねたとき、導電性細線ＭＬ２と重ならない部分を含む。このため、導電性細線ＭＬ２は、導電性細線ＭＬ１及び導電性細線ＭＬ２と異なる形状である。また、導電性細線ＭＬ３は、屈曲部ＴＤＣ３で隣り合う細線片Ｕｃ及び細線片Ｕｂのなす角度θ２と、屈曲部ＴＤＣ３の次の屈曲部ＴＤＣ４で隣り合う細線片Ｕｂ及び細線片Ｕａのなす角度θ１が異なる。
【００６５】
導電性細線ＭＬ４は、細線片Ｕａ、細線片Ｕｂ及び細線片Ｕｃを含む。導電性細線ＭＬ４は、端部ＭＬ４ｅから方向Ｄａに向かって細線片Ｕａ、細線片Ｕｂ、細線片Ｕａ、細線片Ｕｂ、細線片Ｕａ、細線片Ｕｂ、細線片Ｕｃ、細線片Ｕｂの順に接続されている。すなわち、導電性細線ＭＬ４は、２つの端部ＭＬ４ｅと導電性細線ＭＬ１の２つの端部ＭＬ１ｅとを重ねたとき、導電性細線ＭＬ１と重ならない部分を含む。導電性細線ＭＬ４は、２つの端部ＭＬ４ｅと導電性細線ＭＬ２の２つの端部ＭＬ２ｅとを重ねたとき、導電性細線ＭＬ２と重ならない部分を含む。導電性細線ＭＬ４は、２つの端部ＭＬ４ｅと導電性細線ＭＬ３の２つの端部ＭＬ３ｅとを重ねたとき、導電性細線ＭＬ３と重ならない部分を含む。このため、導電性細線ＭＬ４は、導電性細線ＭＬ１、ＭＬ２及びＭＬ３と異なる形状である。また、導電性細線ＭＬ４は、屈曲部ＴＤＣ１で隣り合う細線片Ｕａ及び細線片Ｕｂのなす角度θ１と、屈曲部ＴＤＣ１の次の屈曲部ＴＤＣ２で隣り合う細線片Ｕｂ及び細線片Ｕｃのなす角度θ２が異なる。
【００６６】
また、細線片Ｕａ、細線片Ｕｂ及び細線片Ｕｃの幅は、３μｍ以上かつ１０μｍ以下の範囲にあることが好ましい。細線片Ｕａ、細線片Ｕｂ及び細線片Ｕｃの幅は、１０μｍ以下であると、表示領域Ａｄのうちブラックマトリックスまたは走査線ＧＣＬ及び信号線ＳＧＬで光の透過を抑制されない開口部を覆う面積が小さくなり、開口率を損なう可能性が低くなるためである。また、細線片Ｕａ、細線片Ｕｂ及び細線片Ｕｃの幅は、３μｍ以上であると、形状が安定し、断線する可能性が低くなるためである。細線片Ｕａ、細線片Ｕｂ及び細線片Ｕｃの幅が３μｍ未満である場合、断線への対策のため、後述する実施形態２のように隣り合う導電性細線の屈曲部同士が接続され導通していることが望ましい。
【００６７】
なお、導電性細線ＭＬ１、ＭＬ２、ＭＬ３、ＭＬ４が互いに異なる形状であれば、例えば導電性細線ＭＬ１は、細線片ｃを含まなくてもよい。また、各導電性細線ＭＬ１、ＭＬ２、ＭＬ３、ＭＬ４が細線片ａ、細線片ｂ及び細線片ｃを含んでいれば、導電性細線ＭＬ１、ＭＬ２、ＭＬ３、ＭＬ４は、同じ形状であってもよい。
【００６８】
タッチ検出電極ＴＤＬの導電性細線ＭＬ１、ＭＬ２、ＭＬ３、ＭＬ４は、導電性の金属材料であって、アルミニウム（Ａｌ）、銅（Ｃｕ）、銀（Ａｇ）、モリブデン（Ｍｏ）、クロム（Ｃｒ）、タングステン（Ｗ）、これらの合金の金属材料で形成される。または、タッチ検出電極ＴＤＬの導電性細線ＭＬ１、ＭＬ２、ＭＬ３、ＭＬ４は、アルミニウム（Ａｌ）、銅（Ｃｕ）、銀（Ａｇ）、モリブデン（Ｍｏ）、クロム（Ｃｒ）、タングステン（Ｗ）、これらの酸化物（金属酸化物）で形成され、導電性を有している。導電性細線ＭＬ１、ＭＬ２、ＭＬ３、ＭＬ４は、上述した金属材料と、上述した金属酸化物とを１以上積層した積層体でパターニングされていてもよい。導電性細線ＭＬ１、ＭＬ２、ＭＬ３、ＭＬ４は、上述した金属材料または金属酸化物と、透光性電極の材料としてＩＴＯ（Indium  Tin  Oxide）等の透光性導電酸化物とを１以上積層した積層体でパターニングされていてもよい。導電性細線ＭＬ１、ＭＬ２、ＭＬ３、ＭＬ４は、透光性電極の材料としてＩＴＯ（Indium  Tin  Oxide）等の透光性導電酸化物よりも低抵抗である。導電性細線ＭＬ１、ＭＬ２、ＭＬ３、ＭＬ４の材料は、同じ膜厚での透過率がＩＴＯ（Indium  Tin  Oxide）の透過率よりも低い。例えば、導電性細線ＭＬ１、ＭＬ２、ＭＬ３、ＭＬ４の材料は、透過率が１０％以下であってもよい。
【００６９】
図１３に示すように、複数の検出領域ＴＤＡは、互いに一定の間隔を有して配置されている。タッチ検出電極ＴＤＬの導電性細線ＭＬ１、ＭＬ２、ＭＬ３、ＭＬ４が配置される領域と、タッチ検出電極ＴＤＬの導電性細線ＭＬ１、ＭＬ２、ＭＬ３、ＭＬ４がない領域とでは、遮光性に差があるので、タッチ検出電極ＴＤＬが視認されやすくなる可能性がある。このため、対向基板３には、検出配線ＴＤＧに接続されていないダミー電極ＴＤＤが隣り合う検出領域ＴＤＡの間に配置されている。ダミー電極ＴＤＤは、タッチ検出電極ＴＤＬの導電性細線ＭＬ１、ＭＬ２、ＭＬ３、ＭＬ４と同じ材料で形成される。ダミー電極ＴＤＤは、タッチ検出電極ＴＤＬと同程度の遮光性を有していれば、異なる材料であってもよい。
【００７０】
また、図１３に示すダミー電極ＴＤＤは、細線片Ｕｄ、細線片Ｕｅ及び細線片Ｕｆを含む。例えば、実施形態１に係る細線片Ｕｄの延びる方向と、細線片Ｕａの延びる方向とは平行である。例えば、実施形態１に係る細線片Ｕｅの延びる方向と、細線片Ｕｂの延びる方向とは平行である。例えば、実施形態１に係る細線片Ｕｆの延びる方向と、細線片Ｕｃの延びる方向とは平行である。細線片Ｕｄ、細線片Ｕｅ及び細線片Ｕｆは、検出領域ＴＤＡにおける単位面積当たりの細線片Ｕａ、Ｕｂ、Ｕｃの数と、検出領域ＴＤＡでない領域における単位面積当たりの細線片Ｕｄ、Ｕｅ、Ｕｆの数とが同程度となるように配置される。例えば、実施形態１に係るダミー電極ＴＤＤの一部は、細線片Ｕｄ、細線片Ｕｅ、細線片Ｕｆ、細線片Ｕｅ、細線片Ｕｄ、細線片Ｕｅ、細線片Ｕｄ、細線片Ｕｅの順序で方向Ｄａに並ぶ。すなわち、ダミー電極ＴＤＤは、導電性細線ＭＬ１と重ね合わせられる部分を含む。これより、タッチ検出電極ＴＤＬが配置される領域と、タッチ検出電極ＴＤＬが配置されない領域との遮光性の差が小さくなるため、タッチ検出電極ＴＤＬが視認される可能性を低減できる。
【００７１】
また、ダミー電極ＴＤＤは、細線片Ｕｄと細線片Ｕｅとの間及び細線片Ｕｅと細線片Ｕｆとの間に、導電性細線ＭＬ１、ＭＬ２、ＭＬ３、ＭＬ４と同じ材料がないスリットである分割部ＴＤＤＳを有する。このため、分割部ＴＤＤＳは、細線片Ｕｄと細線片Ｕｅとの電気的な導通及び細線片Ｕｅと細線片Ｕｆとの電気的な導通を妨げ、タッチ検出電極との容量差を生じさせる。このため、タッチ検出の際、指がタッチ検出電極ＴＤＬとダミー電極ＴＤＤとの両方に近接した場合でも、ダミー電極ＴＤＤが、図６で示した絶対値｜ΔＶ｜に与える影響を小さくすることができる。このように、ダミー電極ＴＤＤは、分割部ＴＤＤＳを含むことにより、タッチ検出電極ＴＤＬに対して静電容量の差が生じるため、タッチ検出の精度への影響を小さくできる。
【００７２】
［作用効果］
画素Ｐｉｘは、上記のように、走査線ＧＣＬに平行な方向及び信号線ＳＧＬに平行な方向に沿って行列状に配置されている。走査線ＧＣＬ及び信号線ＳＧＬがブラックマトリックスで覆われている場合は、ブラックマトリックスが光の透過を抑制する。走査線ＧＣＬ及び信号線ＳＧＬがブラックマトリックスで覆われていない場合は、走査線ＧＣＬ及び信号線ＳＧＬが光の透過を抑制する。実施形態１において走査線ＧＣＬに平行な方向に沿った複数の直線状の模様であって、周期性を有する模様が、表示領域Ａｄ上に現れやすくなる。また、信号線ＳＧＬに平行な方向に沿った複数の直線によって、周期性を有する模様が、表示領域Ａｄ上に現れやすくなる。このため、表示領域Ａｄの表面に対して垂直な方向に、タッチ検出電極ＴＤＬを重ねた場合、表示領域Ａｄ上に現れる模様とタッチ検出電極ＴＤＬが干渉し明暗模様を形成することで、モアレが視認される可能性がある。
【００７３】
実施形態１に係るタッチ検出機能付き表示装置１は、隣り合う導電性細線ＭＬ１及び導電性細線ＭＬ２の形状が異なり、隣り合う導電性細線ＭＬ３及び導電性細線ＭＬ４の形状が異なる。このため、導電性細線ＭＬ１、ＭＬ２、ＭＬ３、ＭＬ４と上記の表示領域Ａｄ上に現れる模様とがなす角度は、場所によって異なる。したがって、実施形態１に係るタッチ検出機能付き表示装置１は、上記の明暗模様が一定の周期を有しにくくなり、モアレが視認される可能性を低減できる。
【００７４】
実施形態１に係るタッチ検出機能付き表示装置１は、導電性細線ＭＬ１と導電性細線ＭＬ２とを第１導通部ＴＤＢ１を介して組み合わせた形状と、導電性細線ＭＬ３と導電性細線ＭＬ４とを第１導通部ＴＤＢ１を介して組み合わせた形状とが異なる形状である。このため、導電性細線ＭＬ１、ＭＬ２、ＭＬ３、ＭＬ４と上記の表示領域Ａｄ上に現れる模様とがなす角度は、場所によって異なる。したがって、実施形態１に係るタッチ検出機能付き表示装置１は、上記の明暗模様が一定の周期を有しにくくなり、モアレが視認される可能性を低減できる。
【００７５】
実施形態１に係るタッチ検出機能付き表示装置１は、各導電性細線ＭＬ１、ＭＬ２、ＭＬ３、ＭＬ４において、屈曲部ＴＤＣ１または屈曲部ＴＤＣ４で隣り合う細線片ａ及び細線片ｂのなす角度θ１と、当該屈曲部の次の屈曲部ＴＤＣ２またはＴＤＣ３で隣り合う細線片ｂ及び細線片ｃのなす角度θ２とが異なる。このため、導電性細線ＭＬ１、ＭＬ２、ＭＬ３、ＭＬ４と上記の表示領域Ａｄ上に現れる模様とがなす角度は、場所によって異なる。したがって、実施形態１に係るタッチ検出機能付き表示装置１は、上記の明暗模様が一定の周期を有しにくくなり、モアレが視認される可能性を低減できる。
【００７６】
［実施形態１の変形例１］
図１４は、実施形態１の変形例１に係るタッチ検出電極ＴＤＬの配置の一部を表す模式図である。実施形態１の変形例１に係るタッチ検出電極ＴＤＬは、対向基板３と平行な平面上に、互いに交差する部分を有さないように延在する導電性細線ＭＬ５、ＭＬ６、ＭＬ７、ＭＬ８を含む。導電性細線ＭＬ５、ＭＬ６、ＭＬ７、ＭＬ８は、屈曲部で折り返すジグザグ線または波線である。導電性細線ＭＬ５、ＭＬ６、ＭＬ７、ＭＬ８は、同じ材料で形成される。導電性細線ＭＬ５、ＭＬ６、ＭＬ７、ＭＬ８は、互いに異なる形状である。各導電性細線ＭＬ５、ＭＬ６、ＭＬ７、ＭＬ８は、互いに異なる方向に延びる複数の細線片で構成される。また、実施形態１の変形例１は、説明のためダミー電極ＴＤＤの記載はしていないが、ダミー電極ＴＤＤがあってもよい。なお、上述した実施形態１で説明したものと同じ構成要素には同一の符号を付して重複する説明は省略する。
【００７７】
導電性細線ＭＬ５の一部について説明する。屈曲部ＴＤＣ５１で隣り合う細線片のなす角度は、角度θ５１である。屈曲部ＴＤＣ５１の次の屈曲部ＴＤＣ５２で隣り合う細線片のなす角度は、角度θ５２である。屈曲部ＴＤＣ５２の次の屈曲部ＴＤＣ５３で隣り合う細線片のなす角度は、角度θ５３である。導電性細線ＭＬ５は、互いに異なる方向に延びる細線片のみで構成されるため、角度θ５１、角度θ５２及び角度θ５３は互いに異なる。
【００７８】
導電性細線ＭＬ６の一部について説明する。屈曲部ＴＤＣ６１で隣り合う細線片のなす角度は、角度θ６１である。屈曲部ＴＤＣ６１の次の屈曲部ＴＤＣ６２で隣り合う細線片のなす角度は、角度θ６２である。屈曲部ＴＤＣ６２の次の屈曲部ＴＤＣ６３で隣り合う細線片のなす角度は、角度θ６３である。導電性細線ＭＬ６は、互いに異なる方向に延びる細線片のみで構成されるため、角度θ６１、角度θ６２及び角度θ６３は互いに異なる。
【００７９】
導電性細線ＭＬ７の一部について説明する。屈曲部ＴＤＣ７１で隣り合う細線片のなす角度は、角度θ７１である。屈曲部ＴＤＣ７１の次の屈曲部ＴＤＣ７２で隣り合う細線片のなす角度は、角度θ７２である。屈曲部ＴＤＣ７２の次の屈曲部ＴＤＣ７３で隣り合う細線片のなす角度は、角度θ７３である。導電性細線ＭＬ７は、互いに異なる方向に延びる細線片のみで構成されるため、角度θ７１、角度θ７２及び角度θ７３は互いに異なる。
【００８０】
導電性細線ＭＬ８の一部について説明する。屈曲部ＴＤＣ８１で隣り合う細線片のなす角度は、角度θ８１である。屈曲部ＴＤＣ８１の次の屈曲部ＴＤＣ８２で隣り合う細線片のなす角度は、角度θ８２である。屈曲部ＴＤＣ８２の次の屈曲部ＴＤＣ８３で隣り合う細線片のなす角度は、角度θ８３である。導電性細線ＭＬ８は、互いに異なる方向に延びる細線片のみで構成されるため、角度θ８１、角度θ８２及び角度θ８３は互いに異なる。
【００８１】
また、角度θ５１と角度θ５２の差及び角度θ５２と角度θ５３の差は、０度以上かつ１５度以下であることが好ましい。角度θ６１と角度θ６２の差及び角度θ６２と角度θ６３の差は、０度以上かつ１５度以下であることが好ましい。角度θ７１と角度θ７２の差及び角度θ７２と角度θ７３の差は、０度以上かつ１５度以下であることが好ましい。角度θ８１と角度θ８２の差及び角度θ８２と角度θ８３の差は、０度以上かつ１５度以下であることが好ましい。
【００８２】
［作用効果］
実施形態１の変形例１に係るタッチ検出電極ＴＤＬは、導電性細線ＭＬ５、ＭＬ６、ＭＬ７、ＭＬ８の形状が互いに異なる。このため、導電性細線ＭＬ５、ＭＬ６、ＭＬ７、ＭＬ８と上記の表示領域Ａｄ上に現れる模様とがなす角度が場所によって異なる。したがって、実施形態１の変形例１に係るタッチ検出電極ＴＤＬは、上記の明暗模様が一定の周期を有しにくくなり、モアレが視認される可能性を低減できる。
【００８３】
また、実施形態１の変形例１に係るタッチ検出電極ＴＤＬは、各導電性細線ＭＬ５、ＭＬ６、ＭＬ７、ＭＬ８において、屈曲部で隣り合う細線片のなす角度がすべて異なる。このため、導電性細線ＭＬ５、ＭＬ６、ＭＬ７、ＭＬ８と上記の表示領域Ａｄ上に現れる模様とがなす角度は、場所によって異なる。したがって、実施形態１の変形例１に係るタッチ検出電極ＴＤＬは、上記の明暗模様が一定の周期を有しにくくなり、モアレが視認される可能性を低減できる。
【００８４】
また、例えば角度θ５１と角度θ５２の差及び角度θ５２と角度θ５３の差が０度以上かつ１５度以下である場合、表示領域Ａｄにおける輝度の均一性は、保たれやすくなる。したがって、実施形態１の変形例１に係るタッチ検出電極ＴＤＬは、表示領域Ａｄ上のいわゆるザラツキが視認される可能性を低減できる。
【００８５】
［実施形態１の変形例２］
図１５は、実施形態１の変形例２に係るタッチ検出電極ＴＤＬの配置の一部を表す模式図である。実施形態１の変形例２に係るタッチ検出電極ＴＤＬは、対向基板３と平行な平面上に、互いに交差する部分を有さないように延在する導電性細線ＭＬａ、ＭＬｂ、ＭＬｃ、ＭＬｄを含む。導電性細線ＭＬａ、ＭＬｂ、ＭＬｃ、ＭＬｄは、屈曲部で折り返すジグザグ線または波線である。導電性細線ＭＬａ、ＭＬｂ、ＭＬｃ、ＭＬｄは、同じ材料で形成される。導電性細線ＭＬａ、ＭＬｂ、ＭＬｃ、ＭＬｄは、方向Ｄａにおける屈曲部の位置が揃いながら、互いに異なる形状である。各導電性細線ＭＬａ、ＭＬｂ、ＭＬｃ、ＭＬｄは、互いに異なる方向に延びる複数の細線片で構成される。また、実施形態１の変形例２は、説明のためダミー電極ＴＤＤの記載はしていないが、ダミー電極ＴＤＤがあってもよい。なお、上述した実施形態１で説明したものと同じ構成要素には同一の符号を付して重複する説明は省略する。
【００８６】
導電性細線ＭＬａ、ＭＬｂ、ＭＬｃ、ＭＬｄの形状は、仮想導電性細線ＭＬｖを基準とする。仮想導電性細線ＭＬｖは、対向基板３と平行な平面上で方向Ｄａに延在すると仮定した仮想の導電性細線である。以下では説明のため、対向基板３と平行な平面上にｘｙ座標を仮定する。当該ｘｙ座標のｙ方向は、方向Ｄａと平行である。当該ｘｙ座標のｘ方向は方向Ｄａ対して直交方向である。
【００８７】
仮想導電性細線ＭＬｖは、互いに異なる方向に延びる細線片で構成される。仮想導電性細線ＭＬｖにおける屈曲部同士のｘ方向のずれは、一定であり、長さＰｘである。仮想導電性細線ＭＬｖにおける屈曲部同士のｙ方向のずれは、互いに異なる長さである長さＰｙ１及びＰｙ２を少なくとも含む。例えば、仮想導電性細線ＭＬｖは、屈曲部ＴＤＣｖ１、屈曲部ＴＤＣｖ２及び屈曲部ＴＤＣｖ３を含む。屈曲部ＴＤＣｖ２は、屈曲部ＴＤＣｖ１の次の屈曲部である。屈曲部ＴＤＣｖ３は、屈曲部ＴＤＣｖ２の次の屈曲部である。屈曲部ＴＤＣｖ１と屈曲部ＴＤＣｖ２のｙ方向のずれは、長さＰｙ１である。屈曲部ＴＤＣｖ２と屈曲部ＴＤＣｖ３のｙ方向のずれは、長さＰｙ２である。
【００８８】
また、屈曲部ＴＤＣｖ１で隣り合う細線片のなす角度は、角度θｖ１である。屈曲部ＴＤＣｖ１の次の屈曲部ＴＤＣｖ２で隣り合う細線片のなす角度は、角度θｖ２である。屈曲部ＴＤＣｖ２の次の屈曲部ＴＤＣｖ３で隣り合う細線片のなす角度は、角度θｖ３である。導電性細線ＭＬｖは、互いに異なる方向に延びる細線片のみで構成されるため、角度θｖ１、角度θｖ２及び角度θｖ３は互いに異なる。
【００８９】
各導電性細線ＭＬａ、ＭＬｂ、ＭＬｃ、ＭＬｄが有する細線片の数は、仮想導電性細線ＭＬｖが有する細線片の数と同じである。すなわち、各導電性細線ＭＬａ、ＭＬｂ、ＭＬｃ、ＭＬｄが有する屈曲部の数は、仮想導電性細線ＭＬｖが有する屈曲部の数と同じである。また、各導電性細線ＭＬａ、ＭＬｂ、ＭＬｃ、ＭＬｄにおいて、屈曲部のｙ方向の位置は、仮想導電性細線ＭＬｖの屈曲部のｙ方向の位置と同じである。
【００９０】
導電性細線ＭＬａの屈曲部ＴＤＣａ１のｙ方向の位置は、仮想導電性細線ＭＬｖの屈曲部ＴＤＣｖ１のｙ方向の位置と同じである。屈曲部ＴＤＣａ１の次にある屈曲部ＴＤＣａ２のｙ方向の位置は、仮想導電性細線ＭＬｖの屈曲部ＴＤＣｖ２のｙ方向の位置と同じである。屈曲部ＴＤＣａ２の次にある屈曲部ＴＤＣａ３のｙ方向の位置は、仮想導電性細線ＭＬｖの屈曲部ＴＤＣｖ３のｙ方向の位置と同じである。また、導電性細線ＭＬａにおいて、ｘ方向で最も離れた屈曲部同士のｘ方向のずれは、長さＰｘａ以下である。
【００９１】
また、屈曲部ＴＤＣａ１で隣り合う細線片のなす角度は、角度θａ１である。屈曲部ＴＤＣａ１の次の屈曲部ＴＤＣａ２で隣り合う細線片のなす角度は、角度θａ２である。屈曲部ＴＤＣａ２の次の屈曲部ＴＤＣａ３で隣り合う細線片のなす角度は、角度θａ３である。導電性細線ＭＬａは、互いに異なる方向に延びる細線片のみで構成されるため、角度θａ１、角度θａ２及び角度θａ３は互いに異なる。
【００９２】
導電性細線ＭＬｂの屈曲部ＴＤＣｂ１のｙ方向の位置は、仮想導電性細線ＭＬｖの屈曲部ＴＤＣｖ１のｙ方向の位置と同じである。屈曲部ＴＤＣｂ１の次にある屈曲部ＴＤＣｂ２のｙ方向の位置は、仮想導電性細線ＭＬｖの屈曲部ＴＤＣｖ２のｙ方向の位置と同じである。屈曲部ＴＤＣｂ２の次にある屈曲部ＴＤＣｂ３のｙ方向の位置は、仮想導電性細線ＭＬｖの屈曲部ＴＤＣｖ３のｙ方向の位置と同じである。また、導電性細線ＭＬｂにおいて、ｘ方向で最も離れた屈曲部同士のｘ方向のずれは、長さＰｘｂ以下である。
【００９３】
また、屈曲部ＴＤＣｂ１で隣り合う細線片のなす角度は、角度θｂ１である。屈曲部ＴＤＣｂ１の次の屈曲部ＴＤＣｂ２で隣り合う細線片のなす角度は、角度θｂ２である。屈曲部ＴＤＣｂ２の次の屈曲部ＴＤＣｂ３で隣り合う細線片のなす角度は、角度θｂ３である。導電性細線ＭＬｂは、互いに異なる方向に延びる細線片のみで構成されるため、角度θｂ１、角度θｂ２及び角度θｂ３は互いに異なる。
【００９４】
導電性細線ＭＬｃの屈曲部ＴＤＣｃ１のｙ方向の位置は、仮想導電性細線ＭＬｖの屈曲部ＴＤＣｖ１のｙ方向の位置と同じである。屈曲部ＴＤＣｃ１の次にある屈曲部ＴＤＣｃ２のｙ方向の位置は、仮想導電性細線ＭＬｖの屈曲部ＴＤＣｖ２のｙ方向の位置と同じである。屈曲部ＴＤＣｃ２の次にある屈曲部ＴＤＣｃ３のｙ方向の位置は、仮想導電性細線ＭＬｖの屈曲部ＴＤＣｖ３のｙ方向の位置と同じである。また、導電性細線ＭＬｃにおいて、ｘ方向で最も離れた屈曲部同士のｘ方向のずれは、長さＰｘｃ以下である。
【００９５】
また、屈曲部ＴＤＣｃ１で隣り合う細線片のなす角度は、角度θｃ１である。屈曲部ＴＤＣｃ１の次の屈曲部ＴＤＣｃ２で隣り合う細線片のなす角度は、角度θｃ２である。屈曲部ＴＤＣｃ２の次の屈曲部ＴＤＣｃ３で隣り合う細線片のなす角度は、角度θｃ３である。導電性細線ＭＬｃは、互いに異なる方向に延びる細線片のみで構成されるため、角度θｃ１、角度θｃ２及び角度θｃ３は互いに異なる。
【００９６】
導電性細線ＭＬｄの屈曲部ＴＤＣｄ１のｙ方向の位置は、仮想導電性細線ＭＬｖの屈曲部ＴＤＣｖ１のｙ方向の位置と同じである。屈曲部ＴＤＣｄ１の次にある屈曲部ＴＤＣｄ２のｙ方向の位置は、仮想導電性細線ＭＬｖの屈曲部ＴＤＣｖ２のｙ方向の位置と同じである。屈曲部ＴＤＣｄ２の次にある屈曲部ＴＤＣｄ３のｙ方向の位置は、仮想導電性細線ＭＬｖの屈曲部ＴＤＣｖ３のｙ方向の位置と同じである。また、導電性細線ＭＬｄにおいて、ｘ方向で最も離れた屈曲部同士のｘ方向のずれは、長さＰｘｄ以下である。
【００９７】
また、屈曲部ＴＤＣｄ１で隣り合う細線片のなす角度は、角度θｄ１である。屈曲部ＴＤＣｄ１の次の屈曲部ＴＤＣｄ２で隣り合う細線片のなす角度は、角度θｄ２である。屈曲部ＴＤＣｄ２の次の屈曲部ＴＤＣｄ３で隣り合う細線片のなす角度は、角度θｄ３である。導電性細線ＭＬｄは、互いに異なる方向に延びる細線片のみで構成されるため、角度θｄ１、角度θｄ２及び角度θｄ３は互いに異なる。
【００９８】
なお、長さＰｘ、Ｐｘａ、Ｐｘｂ、Ｐｘｃ、Ｐｘｄは、４０μｍ以上かつ３００μｍ以下であることが好ましい。長さＰｘ、Ｐｘａ、Ｐｘｂ、Ｐｘｃ、Ｐｘｄが３００μｍ以下であると、タッチ検出電極ＴＤＬは、人間の目で視認されにくくなるとともに、表示領域Ａｄのうちブラックマトリックスまたは走査線ＧＣＬ及び信号線ＳＧＬで光の透過を抑制されない開口部を覆う面積が小さくなり、開口率を損なう可能性が低くなるためである。また、長さＰｘ、Ｐｘａ、Ｐｘｂ、Ｐｘｃ、Ｐｘｄが４０μｍ以上であると、例えば角度θａ１、θｂ１、θｃ１、θｄ１の大きさの選択の幅が広がるためである。
【００９９】
さらに、長さＰｘ、Ｐｘａ、Ｐｘｂ、Ｐｘｃ、Ｐｘｄは、２００μｍ以下であることが好ましい。長さＰｘ、Ｐｘａ、Ｐｘｂ、Ｐｘｃ、Ｐｘｄが２００μｍ以下であると、タッチ検出電極ＴＤＬは、３００μｍである場合と比較してさらに人間の目で視認されにくくなるとともに、視認に支障がでない程度に開口率の損失を小さくできるためである。
【０１００】
また、長さＰｘ、Ｐｘａ、Ｐｘｂ、Ｐｘｃ、Ｐｘｄは、１００μｍ以下であることが好ましい。長さＰｘ、Ｐｘａ、Ｐｘｂ、Ｐｘｃ、Ｐｘｄが１００μｍ以下であると、タッチ検出電極ＴＤＬは、２００μｍである場合と比較してさらに人間の目で視認されにくくなるとともに、視認に支障がでない程度に開口率の損失を小さくできるためである。
【０１０１】
なお、仮想導電性細線ＭＬｖは、角度θｖ１、角度θｖ２、角度θｖ３の少なくとも１つが異なる仮想導電性細線が複数あってもよい。仮想導電性細線ＭＬｖが複数ある場合、例えば、導電性細線ＭＬａ、ＭＬｂ、ＭＬｃ、ＭＬｄの形状は、角度θｖ１、角度θｖ２、角度θｖ３の少なくとも１つが異なる仮想導電性細線をそれぞれ基準とする。この場合、各導電性細線ＭＬａ、ＭＬｂ、ＭＬｃ、ＭＬｄの屈曲部のｙ方向の位置がずれるため、タッチ検出電極ＴＤＬの配置は、実施形態１の変形例１の導電性細線ＭＬ５、ＭＬ６、ＭＬ７、ＭＬ８と同様の配置とすることもできる。
【０１０２】
［作用効果］
実施形態１の変形例２に係るタッチ検出電極ＴＤＬは、導電性細線ＭＬａ、ＭＬｂ、ＭＬｃ、ＭＬｄは、互いに異なる形状である。このため、導電性細線ＭＬａ、ＭＬｂ、ＭＬｃ、ＭＬｄと上記の表示領域Ａｄ上に現れる模様とがなす角度が場所によって異なる。したがって、実施形態１の変形例２に係るタッチ検出電極ＴＤＬは、上記の明暗模様が一定の周期を有しにくくなり、モアレが視認される可能性を低減できる。
【０１０３】
また、実施形態１の変形例２に係るタッチ検出電極ＴＤＬは、各導電性細線ＭＬａ、ＭＬｂ、ＭＬｃ、ＭＬｄにおいて、屈曲部で隣り合う細線片のなす角度がすべて異なる。このため、導電性細線ＭＬａ、ＭＬｂ、ＭＬｃ、ＭＬｄと上記の表示領域Ａｄ上に現れる模様とがなす角度は、場所によって異なる。したがって、実施形態１の変形例２に係るタッチ検出電極ＴＤＬは、上記の明暗模様が一定の周期を有しにくくなり、モアレが視認される可能性を低減できる。
【０１０４】
また、複数の導電性細線ＭＬａ、ＭＬｂ、ＭＬｃ、ＭＬｄは、屈曲部のｙ方向の位置が揃っている。このため、表示領域Ａｄにおける輝度の均一性は、保たれやすくなる。したがって、実施形態１の変形例２に係るタッチ検出電極ＴＤＬは、表示領域Ａｄ上のいわゆるザラツキが視認される可能性を低減できる。
【０１０５】
さらに、長さＰｘ、Ｐｘａ、Ｐｘｂ、Ｐｘｃ、Ｐｘｄは、４０μｍ以上３００μｍ以下であるとき、表示領域Ａｄにおける輝度の均一性は、さらに保たれやすくなる。したがって、実施形態１の変形例２に係るタッチ検出電極ＴＤＬは、表示領域Ａｄ上のいわゆるザラツキが視認される可能性を低減できる。
【０１０６】
［実施形態１の変形例３］
【０１０７】
図１６は、実施形態１の変形例３に係る細線片の第１端部と第２端部との相対的な位置関係を説明する模式図である。実施形態１の変形例３に係るタッチ検出電極ＴＤＬは、細線片Ｕａ、細線片Ｕｂ及び細線片Ｕｃの延びる方向が画素Ｐｉｘの配列によって規定される、図１３に示したタッチ検出電極ＴＤＬである。具体的には、細線片Ｕａ、細線片Ｕｂ及び細線片Ｕｃの延びる方向は、図１６に示す画素配列方向Ｄｙに対してなす角度で規定される。また、タッチ検出電極ＴＤＬが延在する方向Ｄａは、図１６に示す画素配列方向Ｄｙと平行である。
【０１０８】
図１６に示す画素配列方向Ｄｙと画素直交方向Ｄｘについて説明する。上述したように、表示領域Ａｄは、各副画素ＳＰｉｘに色領域３２Ｒ、３２Ｇ、３２Ｂが対応付けられ、色領域３２Ｒ、３２Ｇ、３２Ｂを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂがそれぞれ走査線ＧＣＬを挟んで隣り合うように配置する。
【０１０９】
画素配列方向Ｄｙは、人間の視感度が最も高い色領域が並ぶ方向である。画素直交方向Ｄｘは、対向基板３の表面と平行な平面上において画素配列方向Ｄｙに対して直交する方向である。Ｒ（赤）、Ｇ（緑）、Ｂ（青）の３色のなかでは、人間の視感度が最も高い色はＧ（緑）である。図１６で、色領域３２Ｇが並ぶのは信号線ＳＧＬと平行な方向であるため、実施形態１の変形例３における画素配列方向Ｄｙは信号線ＳＧＬと平行な方向となる。
【０１１０】
例として、細線片Ｕｂの第１端部Ｕｂ１と第２端部Ｕｂ２との相対的な位置関係の説明のため、図１６において、走査線ＧＣＬと信号線ＳＧＬの交差部のうちで任意の点を原点Ｐ００とし、原点Ｐ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ１であり、ｙ方向の画素Ｐｉｘ１つ分の最大長さは、第２単位長さＬｙ１である。例えば、実施形態１の変形例３に係る第１単位長さＬｘ１と第２単位長さＬｙ１の比は、１：１である。
【０１１１】
例えば、原点Ｐ００からｘ方向に第１単位長さＬｘ１進み、さらにｙ方向に第２単位長さＬｙ１進んだ点の座標は（１，１）となる。このｘｙ座標において、点Ｐ０１は、座標が（０，１）の点である。点Ｐ１５は、座標が（１，５）の点である。点Ｐ１４は、座標が（１，４）の点である。点Ｐ１３は、座標が（１，３）の点である。点Ｐ１２は、座標が（１，２）の点である。点Ｐ３５は、座標が（３，５）の点である。点Ｐ２３は、座標が（２，３）の点である。点Ｐ３４は、座標が（３，４）の点である。点Ｐ４５は、座標が（４，５）の点である。点Ｐ５６は、座標が（５，６）の点である。点Ｐ１１は、座標が（１，１）の点である。点Ｐ６５は、座標が（６，５）の点である。点Ｐ５４は、座標が（５，４）の点である。点Ｐ４３は、座標が（４，３）の点である。点Ｐ３２は、座標が（３，２）の点である。点Ｐ５３は、座標が（５，３）の点である。点Ｐ２１は、座標が（２，１）の点である。点Ｐ３１は、座標が（３，１）の点である。点Ｐ４１は、座標が（４，１）の点である。点Ｐ５１は、座標が（５，１）の点である。点Ｐ１０は、座標が（１，０）の点である。
【０１１２】
（画素配列方向Ｄｙに対する角度に関する評価例）
ここで、細線片Ｕｂの第１端部Ｕｂ１を点Ｐ００の位置としたときの、第２端部Ｕｂ２
が位置する方向を変化させて、モアレの視認について評価を行った。以下、評価結果は、図１７に示す評価例１から２１として説明する。
【０１１３】
（評価例１）
評価例１に係る導電性細線は、画素配列方向Ｄｙに平行な細線片が、画素配列方向Ｄｙに複数連なっている。
【０１１４】
（評価例２）
評価例２に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ１５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１１５】
（評価例３）
評価例３に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ１４に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１１６】
（評価例４）
評価例４に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ１３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１１７】
（評価例５）
評価例５に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ１２に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１１８】
（評価例６）
評価例６に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ３５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１１９】
（評価例７）
評価例７に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ２３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２０】
（評価例８）
評価例８に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ３４に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２１】
（評価例９）
評価例９に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ４５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２２】
（評価例１０）
評価例１０に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ５６に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２３】
（評価例１１）
評価例１１に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ１１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２４】
（評価例１２）
評価例１２に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ６５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２５】
（評価例１３）
評価例１３に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ５４に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２６】
（評価例１４）
評価例１４に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ４３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２７】
（評価例１５）
評価例１５に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ３２に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２８】
（評価例１６）
評価例１６に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ５３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１２９】
（評価例１７）
評価例１７に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ２１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１３０】
（評価例１８）
評価例１８に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ３１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１３１】
（評価例１９）
評価例１９に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ４１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１３２】
（評価例２０）
評価例２０に係る導電性細線は、細線片Ｕａと細線片Ｕｂが交互に連なっている。細線片Ｕｂは、細線片Ｕｂの第１端部Ｕｂ１が点Ｐ００にあるとき、第２端部Ｕｂ２は点Ｐ００から目標位置である点Ｐ５１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１３３】
（評価例２１）
評価例２１に係る導電性細線は、画素直交方向Ｄｘに平行な細線片が、画素直交方向Ｄｘに複数連なっている。
【０１３４】
［評価］
モアレ評価は、評価例１から評価例２１に対応するタッチ検出機能付き表示装置１の表示画像を、人間の目で見た場合のモアレの見え方を４段階に評価している。具体的には、モアレ評価の基準は、タッチ検出機能付き表示装置１の表面と人間の目との距離が３０ｃｍ未満でもモアレが視認できない場合を二重丸（◎）としている。また、モアレ評価の基準は、タッチ検出機能付き表示装置１と人間の目との距離が３０ｃｍ以上であればモアレが視認できない場合を丸（○）としている。また、モアレ評価の基準は、タッチ検出機能付き表示装置１と人間の目との距離が６０ｃｍ以上であればモアレが視認できない場合を三角（△）としている。そして、モアレ評価の基準は、タッチ検出機能付き表示装置１と人間の目との距離が６０ｃｍ以上であってもモアレが視認できる場合をバツ（×）としている。
【０１３５】
評価例６から１０及び評価例１２から１６は、細線片Ｕｂの延びる方向が、画素配列方向Ｄｙに対して２７度より大きくかつ４５度未満にある角度または４５度より大きくかつ６３度未満にある角度をなす、という第１条件を満たしている。そして、第１条件を満たす、実施形態１の変形例３に係る導電性細線は、図１７に示すように評価例６から１０及び評価例１２から１６の、モアレ評価が◎、○及び△であり、モアレの視認が抑制されている。
［作用効果］
【０１３６】
実施形態１の変形例３に係るタッチ検出機能付き表示装置１は、導電性細線ＭＬ１、ＭＬ２、ＭＬ３、ＭＬ４が、第１条件を満たす細線片Ｕｂを含むことで、明暗模様の周期が、人間が視認できない程度に短くなりやすくなる。例えば、実施形態１の変形例３に係る細線片Ｕｂは、画素直交方向Ｄｘ及び画素配列方向Ｄｙに対して、角度を有して延びている。第１条件を満たせば、当該角度が一定の大きさ以上となるために、明暗模様の周期が短くなりやすい。その結果、実施形態１の変形例３に係るタッチ検出機能付き表示装置１は、導電性細線ＭＬ１、ＭＬ２、ＭＬ３、ＭＬ４が、第１条件を満たす細線片Ｕｂを含むことで、モアレが視認される可能性を低減できる。また、実施形態１の変形例３に係るタッチ検出機能付き表示装置１は、細線片Ｕａ、細線片Ｕｂ及び細線片Ｕｃが第１条件を満たす場合、モアレが視認される可能性を低減できる。
【０１３７】
また、実施形態１の変形例３に係るタッチ検出機能付き表示装置１は、細線片Ｕｂが画素配列方向Ｄｙに対して角度を有する方向に延び、当該角度の正接値は、第１単位長さＬｘ１の値を第２単位長さＬｙ１の２倍の値で除した値より大きく、第１単位長さＬｘ１の２倍の値を第２単位長さＬｙ１の値で除した値より小さい範囲にあり、かつ第１単位長さＬｘ１の値を第２単位長さＬｙ１の値で除した値とは異なる。このため、細線片Ｕｂの延びる方向が画素直交方向Ｄｘ及び画素配列方向Ｄｙに対してなす角度は、一定の大きさ以上となり、明暗模様の周期が短くなりやすい。その結果、実施形態１の変形例３に係るタッチ検出機能付き表示装置１はモアレが視認される可能性を低減できる。
［実施形態１の変形例４］
【０１３８】
図１８は、実施形態１の変形例４に係る細線片の第１端部と第２端部との相対的な位置関係を説明する模式図である。実施形態１の変形例４に係るタッチ検出電極ＴＤＬは、細線片Ｕａ、細線片Ｕｂ及び細線片Ｕｃの延びる方向が画素Ｐｉｘの配列によって規定される、図１３に示したタッチ検出電極ＴＤＬである。具体的には、細線片Ｕａ、細線片Ｕｂ及び細線片Ｕｃの延びる方向は、図１８に示す画素配列方向Ｄｙに対してなす角度で規定される。また、タッチ検出電極ＴＤＬが延在する方向Ｄａは、図１８に示す画素配列方向Ｄｙと同じである。
【０１３９】
図１８に示す画素配列方向Ｄｙと画素直交方向Ｄｘについて説明する。上述したように、表示領域Ａｄは、各副画素ＳＰｉｘに色領域３２Ｒ、３２Ｇ、３２Ｂ、３２Ｗが対応付けられ、色領域３２Ｒ、３２Ｇ、３２Ｂ、３２Ｗを１組とした画素Ｐｉｘを複数含む。複数の画素Ｐｉｘは、走査線ＧＣＬに平行な方向及び信号線ＳＧＬに平行な方向に沿って行列状に配置される。また、画素Ｐｉｘは、色領域３２Ｒ、３２Ｇ、３２Ｂ、３２Ｗがそれぞれ走査線ＧＣＬを挟んで隣り合うように配置する。
【０１４０】
画素配列方向Ｄｙは、人間の視感度が最も高い色領域が並ぶ方向である。Ｒ（赤）、Ｇ（緑）、Ｂ（青）、Ｗ（白）の４色のなかでは、人間の視感度が最も高い色はＷ（白）である。図１８において、色領域３２Ｗが並ぶのは信号線ＳＧＬと平行な方向であるため、画素配列方向Ｄｙは信号線ＳＧＬと平行な方向となる。
【０１４１】
例として、細線片Ｕｂの第１端部Ｕｂ１と第２端部Ｕｂ２との相対的な位置関係の説明のため、図１８において、走査線ＧＣＬと信号線ＳＧＬの交差部のうちで任意の点を原点Ｑ００とし、原点Ｑ００の座標を（０，０）とするｘｙ座標を定義する。画素直交方向Ｄｘと平行な方向にｘ軸を設定し、画素配列方向Ｄｙと平行な方向にｙ軸を設定する。ｘ方向の画素Ｐｉｘ１つ分の最大長さをｘ方向の単位長さとし、ｙ方向の画素Ｐｉｘ１つ分の最大長さをｙ方向の単位長さとする。ｘ方向の画素Ｐｉｘ１つ分の最大長さは、第１単位長さＬｘ２であり、ｙ方向の画素Ｐｉｘ１つ分の最大長さは、第２単位長さＬｙ２である。例えば、実施形態１の変形例４に係る第１単位長さＬｘ２と第２単位長さＬｙ２の比は、４：３である。
【０１４２】
例えば、原点Ｑ００からｘ方向に第１単位長さＬｘ２進み、さらにｙ方向に第２単位長さＬｙ２進んだ点の座標は（１，１）となる。このｘｙ座標において、点Ｑ０１は、座標が（０，１）の点である。点Ｑ１５は、座標が（１，５）の点である。点Ｑ１４は、座標が（１，４）の点である。点Ｑ１３は、座標が（１，３）の点である。点Ｑ１２は、座標が（１，２）の点である。点Ｑ３５は、座標が（３，５）の点である。点Ｑ２３は、座標が（２，３）の点である。点Ｑ３４は、座標が（３，４）の点である。点Ｑ４５は、座標が（４，５）の点である。点Ｑ５６は、座標が（５，６）の点である。点Ｑ１１は、座標が（１，１）の点である。点Ｑ６５は、座標が（６，５）の点である。点Ｑ５４は、座標が（５，４）の点である。点Ｑ４３は、座標が（４，３）の点である。点Ｑ３２は、座標が（３，２）の点である。点Ｑ５３は、座標が（５，３）の点である。点Ｑ２１は、座標が（２，１）の点である。点Ｑ３１は、座標が（３，１）の点である。点Ｑ４１は、座標が（４，１）の点である。点Ｑ５１は、座標が（５，１）の点である。点Ｑ１０は、座標が（１，０）の点である。
【０１４３】
（画素配列方向Ｄｙに対する角度に関する評価例）
ここで、細線片Ｕｂの第１端部Ｕｂ１を点Ｑ００の位置としたときの、第２端部Ｕｂ２
が位置する方向を変化させて、モアレの視認について評価を行った。以下、評価結果は、図１７に示す評価例２２から４２として説明する。
【０１４４】
（評価例２２）
評価例２２に係る導電性細線は、画素配列方向Ｄｙに平行な細線片が、画素配列方向Ｄｙに複数連なっている。
【０１４５】
（評価例２３）
評価例２３に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ１５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１４６】
（評価例２４）
評価例２４に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ１４に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１４７】
（評価例２５）
評価例２５に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ１３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１４８】
（評価例２６）
評価例２６に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ１２に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１４９】
（評価例２７）
評価例２７に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ３５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５０】
（評価例２８）
評価例２８に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ２３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５１】
（評価例２９）
評価例２９に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ３４に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５２】
（評価例３０）
評価例３０に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ４５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５３】
（評価例３１）
評価例３１に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ５６に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５４】
（評価例３２）
評価例３２に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ１１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５５】
（評価例３３）
評価例３３に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ６５に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５６】
（評価例３４）
評価例３４に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ５４に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５７】
（評価例３５）
評価例３５に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ４３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５８】
（評価例３６）
評価例３６に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ３２に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１５９】
（評価例３７）
評価例３７に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ５３に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１６０】
（評価例３８）
評価例３８に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ２１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１６１】
（評価例３９）
評価例３９に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ３１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１６２】
（評価例４０）
評価例４０に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ４１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１６３】
（評価例４１）
評価例４１に係る導電性細線は、細線片Ｕａと細線片Ｕｂが交互に連なっている。細線片Ｕｂは、細線片Ｕｂの第１端部Ｕｂ１が点Ｑ００にあるとき、第２端部Ｕｂ２は点Ｑ００から目標位置である点Ｑ５１に向かう方向にあるように配置される。細線片Ｕａは、細線片Ｕｂが延びる方向と異なる方向に延びる。また、細線片Ｕａの延びる方向が画素配列方向Ｄｙに対してなす角度の大きさと、細線片Ｕｂの延びる方向が画素配列方向Ｄｙに対してなす角度の大きさは等しい。
【０１６４】
（評価例４２）
評価例４２に係る導電性細線は、画素直交方向Ｄｘに平行な細線片が、画素直交方向Ｄｘに複数連なっている。
【０１６５】
［評価］
モアレ評価は、評価例２２から評価例４２に対応するタッチ検出機能付き表示装置１の表示画像を、人間の目で見た場合のモアレの見え方を４段階に評価している。具体的には、モアレ評価の基準は、タッチ検出機能付き表示装置１の表面と人間の目との距離が３０ｃｍ未満でもモアレが視認できない場合を二重丸（◎）としている。また、モアレ評価の基準は、タッチ検出機能付き表示装置１と人間の目との距離が３０ｃｍ以上であればモアレが視認できない場合を丸（○）としている。また、モアレ評価の基準は、タッチ検出機能付き表示装置１と人間の目との距離が６０ｃｍ以上であればモアレが視認できない場合を三角（△）としている。そして、モアレ評価の基準は、タッチ検出機能付き表示装置１と人間の目との距離が６０ｃｍ以上であってもモアレが視認できる場合をバツ（×）としている。
【０１６６】
評価例２７から３１及び評価例３３から３７は、細線片Ｕｂの延びる方向が、画素配列方向Ｄｙに対して３４度より大きくかつ５３度未満にある角度または５４度より大きくかつ６９度未満にある角度をなす、という第２条件を満たしている。そして、第２条件を満たす、実施形態１の変形例４に係る導電性細線は、図１９に示すように評価例２７から３１及び評価例３３から３７の、モアレ評価が◎、○及び△であり、モアレの視認が抑制されている。
［作用効果］
【０１６７】
実施形態１の変形例４に係るタッチ検出機能付き表示装置１は、導電性細線ＭＬ１、ＭＬ２、ＭＬ３、ＭＬ４が、第２条件を満たす細線片Ｕｂを含むことで、明暗模様の周期が、人間が視認できない程度に短くなりやすくなる。例えば、実施形態１の変形例４に係る細線片Ｕｂは、画素直交方向Ｄｘ及び画素配列方向Ｄｙに対して、角度を有して延びている。第２条件を満たせば、当該角度が一定の大きさ以上となるために、明暗模様の周期が短くなりやすい。その結果、実施形態１の変形例４に係るタッチ検出機能付き表示装置１は、導電性細線ＭＬ１、ＭＬ２、ＭＬ３、ＭＬ４が、第２条件を満たす細線片Ｕｂを含むことで、モアレが視認される可能性を低減できる。また、実施形態１の変形例４に係るタッチ検出機能付き表示装置１は、細線片Ｕａ、細線片Ｕｂ及び細線片Ｕｃが第２条件を満たす場合、モアレが視認される可能性を低減できる。
【０１６８】
また、実施形態１の変形例３に係るタッチ検出機能付き表示装置１は、細線片Ｕｂが画素配列方向Ｄｙに対して角度を有する方向に延び、当該角度の正接値は、第１単位長さＬｘ２の値を第２単位長さＬｙ２の２倍の値で除した値より大きく、第１単位長さＬｘ２の２倍の値を第２単位長さＬｙ２の値で除した値より小さい範囲にあり、かつ第１単位長さＬｘ２の値を第２単位長さＬｙ２の値で除した値とは異なる。このため、細線片Ｕｂの延びる方向が画素直交方向Ｄｘ及び画素配列方向Ｄｙに対してなす角度は、一定の大きさ以上となり、明暗模様の周期が短くなりやすい。その結果、実施形態１の変形例４に係るタッチ検出機能付き表示装置１はモアレが視認される可能性を低減できる。
【０１６９】
＜１−２．実施形態２＞
次に、実施形態２に係るタッチ検出機能付き表示装置１について説明する。図２０は、実施形態２に係るタッチ検出電極ＴＤＬの配置を表す模式図である。なお、上述した実施形態１で説明したものと同じ構成要素には同一の符号を付して重複する説明は省略する。
【０１７０】
図２０に示すように、実施形態２に係るタッチ検出電極ＴＤＬは、対向基板３と平行な平面上に、全体を俯瞰してみれば方向Ｄａに延在する複数の導電性細線ＭＬ９、ＭＬ１０、ＭＬ１１、ＭＬ１２を含む。各導電性細線ＭＬ９、ＭＬ１０、ＭＬ１１、ＭＬ１２は、屈曲部ＴＤＣ１、ＴＤＣ２、ＴＤＣ３、ＴＤＣ４で折り返すジグザグ線または波線である。導電性細線ＭＬ９、ＭＬ１０、ＭＬ１１、ＭＬ１２は、同じ材料で形成される。導電性細線ＭＬ９及び導電性細線ＭＬ１０は、導電性細線ＭＬ９の端部ＭＬ９ｅ及び導電性細線ＭＬ１０の端部ＭＬ１０ｅで第１導通部ＴＤＢ１を介して接続され導通している。導電性細線ＭＬ９及び導電性細線ＭＬ１０は、屈曲部同士が接するように配置され、検出領域ＴＤＡに属する。導電性細線ＭＬ９及び導電性細線ＭＬ１０は、当該接する部分である交差部ＴＤＸで接続され導通している。また、導電性細線ＭＬ１１及び導電性細線ＭＬ１２は、導電性細線ＭＬ１１の端部ＭＬ１１ｅ及び導電性細線ＭＬ１２の端部ＭＬ１２ｅで第１導通部ＴＤＢ１を介して接続され導通している。導電性細線ＭＬ１１及び導電性細線ＭＬ１２は、屈曲部同士が接するように配置され、検出領域ＴＤＡに属する。導電性細線ＭＬ１１及び導電性細線ＭＬ１２は、当該接する部分である交差部ＴＤＸで接続され導通している。
【０１７１】
導電性細線ＭＬ９は、実施形態１で示した導電性細線ＭＬ１である。導電性細線ＭＬ１０は、細線片Ｕａ、細線片Ｕｂ及び細線片Ｕｃを含む。導電性細線ＭＬ１０は、端部ＭＬ１０ｅから方向Ｄａに向かって細線片Ｕｂ、細線片Ｕａ、細線片Ｕｂ、細線片Ｕｃ、細線片Ｕｂ、細線片Ｕａ、細線片Ｕｂ、細線片Ｕａの順に接続されている。また、導電性細線ＭＬ１０は、屈曲部の位置が導電性細線ＭＬ９の屈曲部の位置と１つおきに同じである。導電性細線ＭＬ１０は、屈曲部ＴＤＣ３で隣り合う細線片Ｕｂ及び細線片Ｕｃのなす角度θ２と、屈曲部ＴＤＣ３の次の屈曲部ＴＤＣ４で隣り合う細線片Ｕａ及び細線片Ｕｂのなす角度θ１が異なる。
【０１７２】
導電性細線ＭＬ１１は、実施形態１で示した導電性細線ＭＬ２である。導電性細線ＭＬ１２は、細線片Ｕａ、細線片Ｕｂ及び細線片Ｕｃを含む。導電性細線ＭＬ１２は、端部ＭＬ１２ｅから方向Ｄａに向かって細線片Ｕｂ、細線片Ｕａ、細線片Ｕｂ、細線片Ｕａ、細線片Ｕｂ、細線片Ｕｃ、細線片Ｕｂ、細線片Ｕａの順に接続されている。また、導電性細線ＭＬ１２は、屈曲部の位置が導電性細線ＭＬ１１の屈曲部の位置と１つおきに同じである。導電性細線ＭＬ１２は、屈曲部ＴＤＣ１で隣り合う細線片Ｕａ及び細線片Ｕｂのなす角度θ１と、屈曲部ＴＤＣ１の次の屈曲部ＴＤＣ２で隣り合う細線片Ｕｂ及び細線片Ｕｃのなす角度θ２が異なる。
【０１７３】
なお、導電性細線ＭＬ９と導電性細線ＭＬ１０とは、屈曲部同士で接続されていなくてもよい。また、導電性細線ＭＬ１１と導電性細線ＭＬ１２とは、屈曲部同士で接続されていなくてもよい。例えば、導電性細線ＭＬ９における細線片Ｕａの中間部と、導電性細線ＭＬ１０における細線片Ｕｂの中間部とで接続され導通していてもよい。
【０１７４】
［作用効果］
実施形態２に係るタッチ検出電極ＴＤＬは、隣り合う導電性細線ＭＬ９及び導電性細線ＭＬ１０の形状が異なり、隣り合う導電性細線ＭＬ１１及び導電性細線ＭＬ１２の形状が異なる。このため、導電性細線ＭＬ９、ＭＬ１０、ＭＬ１１、ＭＬ１２と上記の表示領域Ａｄ上に現れる模様とがなす角度は、場所によって異なる。したがって、実施形態１に係るタッチ検出機能付き表示装置１は、上記の明暗模様が一定の周期を有しにくくなり、モアレが視認される可能性を低減できる。
【０１７５】
実施形態２に係るタッチ検出機能付き表示装置１は、導電性細線ＭＬ９と導電性細線ＭＬ１０とを第１導通部ＴＤＢ１を介して組み合わせた形状と、導電性細線ＭＬ１１と導電性細線ＭＬ１２とを第１導通部ＴＤＢ１を介して組み合わせた形状とが異なる形状である。このため、導電性細線ＭＬ９、ＭＬ１０、ＭＬ１１、ＭＬ１２と上記の表示領域Ａｄ上に現れる模様とがなす角度は、場所によって異なる。したがって、実施形態２に係るタッチ検出機能付き表示装置１は、上記の明暗模様が一定の周期を有しにくくなり、モアレが視認される可能性を低減できる。
【０１７６】
実施形態２に係るタッチ検出機能付き表示装置１は、各導電性細線ＭＬ９、ＭＬ１０、ＭＬ１１、ＭＬ１２において、屈曲部ＴＤＣ１または屈曲部ＴＤＣ４で隣り合う細線片ａ及び細線片ｂのなす角度θ１と、当該屈曲部の次の屈曲部ＴＤＣ２またはＴＤＣ３で隣り合う細線片ｂ及び細線片ｃのなす角度θ２とが異なる。このため、導電性細線ＭＬ９、ＭＬ１０、ＭＬ１１、ＭＬ１２と上記の表示領域Ａｄ上に現れる模様とがなす角度は、場所によって異なる。したがって、実施形態１に係るタッチ検出機能付き表示装置１は、上記の明暗模様が一定の周期を有しにくくなり、モアレが視認される可能性を低減できる。
【０１７７】
また、実施形態２に係るタッチ検出機能付き表示装置１は、検出領域ＴＤＡに含まれる導電性細線の一部が細くなり、導通が不確実でも、交差部ＴＤＸで他の導電性細線に接続されているため、タッチ検出の確率を高めることができる。例えば、実施形態２に係るタッチ検出機能付き表示装置１は、導電性細線ＭＬ９の一部が細くなり導通が不確実でも、交差部ＴＤＸで導電性細線ＭＬ１０に接続されているため、タッチ検出の確率を高めることができる。
【０１７８】
［実施形態２の変形例１］
図２１は、実施形態２の変形例１に係るタッチ検出電極ＴＤＬの配置の一部を表す模式図である。実施形態２の変形例１に係るタッチ検出電極ＴＤＬは、対向基板３と平行な平面上に、屈曲部同士が接する部分を有するように延在する複数の導電性細線ＭＬ１３〜ＭＬ１８を含む。導電性細線ＭＬ１３〜ＭＬ１８は、屈曲部で折り返すジグザグ線または波線である。導電性細線ＭＬ１３〜ＭＬ１８は、同じ材料で形成される。導電性細線ＭＬ１３〜ＭＬ１８は、互いに異なる形状である。各導電性細線ＭＬ１３〜ＭＬ１８は、互いに異なる方向に延びる複数の細線片で構成される。また、実施形態２の変形例１は、説明のためダミー電極ＴＤＤの記載はしていないが、ダミー電極ＴＤＤがあってもよい。なお、上述した実施形態１及び実施形態２で説明したものと同じ構成要素には同一の符号を付して重複する説明は省略する。
【０１７９】
導電性細線ＭＬ１３の一部について説明する。屈曲部ＴＤＣ１３１で隣り合う細線片のなす角度は、角度θ１３１である。屈曲部ＴＤＣ１３１の次の屈曲部ＴＤＣ１３２で隣り合う細線片のなす角度は、角度θ１３２である。屈曲部ＴＤＣ１３２の次の屈曲部ＴＤＣ１３３で隣り合う細線片のなす角度は、角度θ１３３である。導電性細線ＭＬ１３は、互いに異なる方向に延びる細線片のみで構成されるため、角度θ１３１、角度θ１３２及び角度θ１３３は互いに異なる。
【０１８０】
導電性細線ＭＬ１４の一部について説明する。屈曲部ＴＤＣ１４１で隣り合う細線片のなす角度は、角度θ１４１である。屈曲部ＴＤＣ１４１の次の屈曲部ＴＤＣ１４２で隣り合う細線片のなす角度は、角度θ１４２である。屈曲部ＴＤＣ１４２の次の屈曲部ＴＤＣ１４３で隣り合う細線片のなす角度は、角度θ１４３である。導電性細線ＭＬ１４は、互いに異なる方向に延びる細線片のみで構成されるため、角度θ１４１、角度θ１４２及び角度θ１４３は互いに異なる。
【０１８１】
導電性細線ＭＬ１５の一部について説明する。屈曲部ＴＤＣ１５１で隣り合う細線片のなす角度は、角度θ１５１である。屈曲部ＴＤＣ１５１の次の屈曲部ＴＤＣ１５２で隣り合う細線片のなす角度は、角度θ１５２である。屈曲部ＴＤＣ１５２の次の屈曲部ＴＤＣ１５３で隣り合う細線片のなす角度は、角度θ１５３である。導電性細線ＭＬ１５は、互いに異なる方向に延びる細線片のみで構成されるため、角度θ１５１、角度θ１５２及び角度θ１５３は互いに異なる。
【０１８２】
導電性細線ＭＬ１６の一部について説明する。屈曲部ＴＤＣ１６１で隣り合う細線片のなす角度は、角度θ１６１である。屈曲部ＴＤＣ１６１の次の屈曲部ＴＤＣ１６２で隣り合う細線片のなす角度は、角度θ１６２である。屈曲部ＴＤＣ１６２の次の屈曲部ＴＤＣ１６３で隣り合う細線片のなす角度は、角度θ１６３である。導電性細線ＭＬ１６は、互いに異なる方向に延びる細線片のみで構成されるため、角度θ１６１、角度θ１６２及び角度θ１６３は互いに異なる。
【０１８３】
導電性細線ＭＬ１７の一部について説明する。屈曲部ＴＤＣ１７１で隣り合う細線片のなす角度は、角度θ１７１である。屈曲部ＴＤＣ１７１の次の屈曲部ＴＤＣ１７２で隣り合う細線片のなす角度は、角度θ１７２である。屈曲部ＴＤＣ１７２の次の屈曲部ＴＤＣ１７３で隣り合う細線片のなす角度は、角度θ１７３である。導電性細線ＭＬ１７は、互いに異なる方向に延びる細線片のみで構成されるため、角度θ１７１、角度θ１７２及び角度θ１７３は互いに異なる。
【０１８４】
導電性細線ＭＬ１８の一部について説明する。屈曲部ＴＤＣ１８１で隣り合う細線片のなす角度は、角度θ１８１である。屈曲部ＴＤＣ１８１の次の屈曲部ＴＤＣ１８２で隣り合う細線片のなす角度は、角度θ１８２である。屈曲部ＴＤＣ１８２の次の屈曲部ＴＤＣ１８３で隣り合う細線片のなす角度は、角度θ１８３である。導電性細線ＭＬ１８は、互いに異なる方向に延びる細線片のみで構成されるため、角度θ１８１、角度θ１８２及び角度θ１８３は互いに異なる。
【０１８５】
また、角度θ１３１と角度θ１３２の差及び角度θ１３２と角度θ１３３の差は、０度以上かつ１５度以下であることが好ましい。角度θ１４１と角度θ１４２の差及び角度θ１４２と角度θ１４３の差は、０度以上かつ１５度以下であることが好ましい。角度θ１５１と角度θ１５２の差及び角度θ１５２と角度θ１５３の差は、０度以上かつ１５度以下であることが好ましい。角度θ１６１と角度θ１６２の差及び角度θ１６２と角度θ１６３の差は、０度以上かつ１５度以下であることが好ましい。角度θ１７１と角度θ１７２の差及び角度θ１７２と角度θ１７３の差は、０度以上かつ１５度以下であることが好ましい。角度θ１８１と角度θ１８２の差及び角度θ１８２と角度θ１８３の差は、０度以上かつ１５度以下であることが好ましい。
【０１８６】
［作用効果］
実施形態２の変形例１に係るタッチ検出電極ＴＤＬは、導電性細線ＭＬ１３〜ＭＬ１８の形状が互いに異なる。このため、導電性細線ＭＬ５、ＭＬ６、ＭＬ７、ＭＬ８と上記の表示領域Ａｄ上に現れる模様とがなす角度が場所によって異なる。したがって、実施形態１の変形例１に係るタッチ検出電極ＴＤＬは、上記の明暗模様が一定の周期を有しにくくなり、モアレが視認される可能性を低減できる。
【０１８７】
また、実施形態２の変形例１に係るタッチ検出電極ＴＤＬは、各導電性細線ＭＬ１３〜ＭＬ１８において、屈曲部で隣り合う細線片のなす角度がすべて異なる。このため、導電性細線ＭＬ１３〜ＭＬ１８と上記の表示領域Ａｄ上に現れる模様とがなす角度は、場所によって異なる。したがって、実施形態２の変形例１に係るタッチ検出電極ＴＤＬは、上記の明暗模様が一定の周期を有しにくくなり、モアレが視認される可能性を低減できる。
【０１８８】
これより、実施形態２の変形例１に係るタッチ検出電極ＴＤＬは、タッチ検出電極ＴＤＬの導電性細線ＭＬ１３〜ＭＬ１８と上記の表示領域Ａｄ上に現れる模様とがなす角度が場所によって異なる。したがって、上記の明暗模様が一定の周期を有しにくくなり、モアレが視認される可能性を低減できる。
【０１８９】
また、例えば角度θ１３１と角度θ１３２の差及び角度θ１３２と角度θ１３３の差が  ０度以上かつ１５度以下である場合、表示領域Ａｄにおける輝度の均一性は、保たれやすくなる。したがって、実施形態２の変形例１に係るタッチ検出電極ＴＤＬは、表示領域Ａｄ上のいわゆるザラツキが視認される可能性を低減できる。
【０１９０】
また、実施形態２の変形例１に係るタッチ検出機能付き表示装置１は、仮に導電性細線ＭＬ１３〜ＭＬ１８のうちいずれか１つの導電性細線の一部が細くなり、導通が不確実でも、交差部ＴＤＸで他の導電性細線に接続されているため、タッチ検出の確率を高めることができる。例えば、実施形態２の変形例１に係るタッチ検出機能付き表示装置１は、検出領域ＴＤＡに含まれる導電性細線の一部が細くなり、導通が不確実でも、交差部ＴＤＸで他の導電性細線に接続されているため、タッチ検出の確率を高めることができる。例えば、実施形態２の変形例１に係るタッチ検出機能付き表示装置１は、導電性細線ＭＬ１３の一部が細くなり導通が不確実でも、交差部ＴＤＸで導電性細線ＭＬ１４に接続されているため、タッチ検出の確率を高めることができる。
【０１９１】
＜１−３．実施形態３＞
図２２は、実施形態３に係るタッチ検出機能付き表示デバイスの概略断面構造を表す断面図である。上記の実施形態及び変形例に係るタッチ検出機能付き表示装置１は、ＦＦＳ、ＩＰＳ等の各種モードの液晶を用いた液晶表示デバイス２０とタッチ検出デバイス３０とを一体化してタッチ検出機能付き表示デバイス１０とすることができる。これに代えて、図２２に示す実施形態３に係るタッチ検出機能付き表示デバイス１０は、ＴＮ（Twisted  Nematic：ツイステッドネマティック）、ＶＡ（Vertical  Alignment：垂直配向）、ＥＣＢ（Electrically Controlled Birefringence：電界制御複屈折）等の各種モードの液晶とタッチ検出デバイスとを一体化してもよい。
【０１９２】
＜２．適用例＞
次に、図２３〜図３５を参照して、実施形態１〜３及び変形例で説明したタッチ検出機能付き表示装置１の適用例について説明する。図２３〜図３５は、実施形態１〜３及び変形例に係るタッチ検出機能付き表示装置または表示装置を適用する電子機器の一例を示す図である。実施形態１〜３及び変形例に係るタッチ検出機能付き表示装置１及び表示装置は、テレビジョン装置、デジタルカメラ、ノート型パーソナルコンピュータ、携帯電話等の携帯端末装置あるいはビデオカメラなどのあらゆる分野の電子機器に適用することが可能である。言い換えると、実施形態１〜３及び変形例に係るタッチ検出機能付き表示装置１及び表示装置は、外部から入力された映像信号あるいは内部で生成した映像信号を、画像あるいは映像として表示するあらゆる分野の電子機器に適用することが可能である。
【０１９３】
（適用例１）
図２３に示す電子機器は、実施形態１〜３及び変形例に係るタッチ検出機能付き表示装置１及び表示装置が適用されるテレビジョン装置である。このテレビジョン装置は、例えば、フロントパネル５１１及びフィルターガラス５１２を含む映像表示画面部５１０を有しており、この映像表示画面部５１０は、実施形態１〜３及び変形例に係るタッチ検出機能付き表示装置１及び表示装置である。
【０１９４】
（適用例２）
図２４及び図２５に示す電子機器は、実施形態１〜３及び変形例に係るタッチ検出機能付き表示装置１及び表示装置が適用されるデジタルカメラである。このデジタルカメラは、例えば、フラッシュ用の発光部５２１、表示部５２２、メニュースイッチ５２３及びシャッターボタン５２４を有しており、その表示部５２２は、実施形態１〜３及び変形例に係るタッチ検出機能付き表示装置１及び表示装置である。
【０１９５】
（適用例３）
図２６に示す電子機器は、実施形態１〜３及び変形例に係るタッチ検出機能付き表示装置１及び表示装置が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４は、実施形態１〜３及び変形例に係るタッチ検出機能付き表示装置１及び表示装置である。
【０１９６】
（適用例４）
図２７に示す電子機器は、実施形態１〜３及び変形例に係るタッチ検出機能付き表示装置１及び表示装置が適用されるノート型パーソナルコンピュータである。このノート型パーソナルコンピュータは、例えば、本体５４１、文字等の入力操作のためのキーボード５４２及び画像を表示する表示部５４３を有しており、表示部５４３は、実施形態１〜３及び変形例に係るタッチ検出機能付き表示装置１及び表示装置である。
【０１９７】
（適用例５）
図２８〜図３５に示す電子機器は、実施形態１〜３及び変形例に係るタッチ検出機能付き表示装置１及び表示装置が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４またはサブディスプレイ５５５は、実施形態１〜３及び変形例に係るタッチ検出機能付き表示装置１及び表示装置である。
【０１９８】
（適用例６）
図３５に示す電子機器は、携帯型コンピュータ、多機能な携帯電話、音声通話可能な携帯コンピュータまたは通信可能な携帯コンピュータとして動作し、いわゆるスマートフォン、タブレット端末と呼ばれることもある、情報携帯端末である。この情報携帯端末は、例えば筐体５６１の表面に表示部５６２を有している。この表示部５６２は、実施形態１〜３及び変形例に係るタッチ検出機能付き表示装置１及び表示装置である。
【０１９９】
＜３．本開示の構成＞
また、本開示は、以下の構成をとることもできる。
【０２００】
（１）基板と、
前記基板の表面と平行な面に、複数の色領域で構成される画素が行列状に配置される表示領域と、
第１端部と第２端部とを直線で結んだ細線片を複数含み、隣り合う細線片は一方の細線片の第２端部と他方の細線片の第１端部とが接続された、前記基板の表面と平行な面に延在する導電性細線が複数配置されるタッチ検出電極と、
前記タッチ検出電極に対して静電容量を有する駆動電極と、
前記表示領域に画像を表示する機能を有する表示機能層と、を含み、
前記隣り合う細線片は、一方の細線片の第２端部と他方の細線片の第１端部とが接続される部分である屈曲部で折り返すように配置され、
前記複数の導電性細線は、前記隣り合う細線片のなす角度が他の屈曲部と異なる屈曲部を含む、タッチ検出機能付き表示装置。
【０２０１】
（２）隣り合う前記導電性細線は、互いに異なる形状である、前記（１）に記載のタッチ検出機能付き表示装置。
【０２０２】
（３）前記導電性細線は、前記屈曲部で隣り合う細線片のなす角度と、当該屈曲部の次の屈曲部で隣り合う細線片のなす角度とが異なる、前記（１）または前記（２）に記載のタッチ検出機能付き表示装置。
【０２０３】
（４）前記基板の表面と平行な面上において前記画素配列方向に対して直交する画素直交方向における、前記画素１つ分の最大長さを第１単位長さとし、前記画素配列方向と平行な方向における、前記画素１つ分の最大長さを第２単位長さとした場合、
前記細線片は、前記画素配列方向に対して角度を有する方向に延び、当該角度の正接値は、前記第１単位長さの値を前記第２単位長さの２倍の値で除した値より大きく、前記第１単位長さの２倍の値を前記第２単位長さの値で除した値より小さい範囲にあり、かつ前記第１単位長さの値を前記第２単位長さの値で除した値とは異なる、前記（１）から前記（３）のいずれか１つに記載のタッチ検出機能付き表示装置。
【０２０４】
（５）前記細線片は、複数の前記色領域のうち、人間の視感度が最も高い色領域が並ぶ方向である画素配列方向に対して、２７度より大きくかつ４５度未満にある角度または４５度より大きくかつ６３度未満にある角度を有する方向に延びる、前記（１）から前記（３）のいずれか１つに記載のタッチ検出機能付き表示装置。
【０２０５】
（６）隣り合う前記導電性細線は、互いに交差する部分を有さないように配置される、前記（１）から前記（５）のいずれか１つに記載のタッチ検出機能付き表示装置。
【０２０６】
（７）隣り合う前記導電性細線は、前記屈曲部同士が接する部分を有するように配置され、一方の前記導電性細線が前記接する部分で他方の前記細線片と接続される、前記（１）から前記（５）のいずれか１つに記載のタッチ検出機能付き表示装置。
【０２０７】
（８）タッチ検出機能付き表示装置を備える電子機器であって、前記タッチ検出機能付き表示装置は、前記（１）から前記（７）のいずれか１つに記載のタッチ検出機能付き表示装置である、電子機器。
【符号の説明】
【０２０８】
１  タッチ検出機能付き表示装置
２  画素基板
３  対向基板
６  液晶層
１０  タッチ検出機能付き表示デバイス
１１  制御部
１２  ゲートドライバ
１３  ソースドライバ
１４  駆動電極ドライバ
２０  液晶表示デバイス
２１  ＴＦＴ基板
２２  画素電極
２４  絶縁層
３０  タッチ検出デバイス
３１  ガラス基板
３２  カラーフィルタ
３２Ｒ、３２Ｇ、３２Ｂ、３２Ｗ  色領域
３５  偏光板
４０  タッチ検出部
Ａｄ  表示領域
ＣＯＭＬ  駆動電極
Ｄｘ  画素直交方向
Ｄｙ  画素配列方向
ＧＣＬ  走査線
ＭＬ１〜ＭＬ１８、ＭＬａ、ＭＬｂ、ＭＬｃ、ＭＬｄ  導電性細線
Ｐｉｘ  画素
ＳＧＬ  信号線
ＳＰｉｘ  副画素
ＴＤＡ  検出領域
ＴＤＢ１  第１導通部
ＴＤＢ２  第２導通部
ＴＤＤ  ダミー電極
ＴＤＤＳ  分割部
ＴＤＧ  検出配線
ＴＤＬ  タッチ検出電極
ＴＤＸ  交差部
【図１】
2014191657.tif 000003
【図２】
2014191657.tif 000004
【図３】
2014191657.tif 000005
【図４】
2014191657.tif 000006
【図５】
2014191657.tif 000007
【図６】
2014191657.tif 000008
【図７】
2014191657.tif 000009
【図８】
2014191657.tif 000010
【図９】
2014191657.tif 000011
【図１０】
2014191657.tif 000012
【図１１】
2014191657.tif 000013
【図１２】
2014191657.tif 000014
【図１３】
2014191657.tif 000015
【図１４】
2014191657.tif 000016
【図１５】
2014191657.tif 000017
【図１６】
2014191657.tif 000018
【図１７】
2014191657.tif 000019
【図１８】
2014191657.tif 000020
【図１９】
2014191657.tif 000021
【図２０】
2014191657.tif 000022
【図２１】
2014191657.tif 000023
【図２２】
2014191657.tif 000024
【図２３】
2014191657.tif 000025
【図２４】
2014191657.tif 000026
【図２５】
2014191657.tif 000027
【図２６】
2014191657.tif 000028
【図２７】
2014191657.tif 000029
【図２８】
2014191657.tif 000030
【図２９】
2014191657.tif 000031
【図３０】
2014191657.tif 000032
【図３１】
2014191657.tif 000033
【図３２】
2014191657.tif 000034
【図３３】
2014191657.tif 000035
【図３４】
2014191657.tif 000036
【図３５】
2014191657.tif 000037